(57)【要約】  複数の表示装置（２）と、これら複数の表示装置を管理制御する表示制御装置（４）とを有するコンテンツ表示システム（１）であって、表示制御装置は、待機中の表示装置の内、任意の表示装置からの利用開始操作を検出すると、この利用開始操作に関わる表示装置に対応する表示終了の待機コンテンツ画面に対応する優先順位を優先順位管理テーブル（２４）から検索する優先順位検索部（３２）と、この検索した待機コンテンツ画面の優先順位よりも下位の待機コンテンツ画面を表示している表示装置を検索し、この検索した表示装置の内、優先順位が最下位の待機コンテンツ画面を表示中の表示装置を切替表示対象の表示装置として特定する切替表示対象特定部（３３）と、この特定した切替表示対象の表示装置に前記利用開始操作に関わる表示装置で表示終了した待機コンテンツ画面を切替表示する表示制御部（３４）とを有している。
2009122522.tif 000002
【特許請求の範囲】
【請求項１】
複数の表示装置と、これら複数の表示装置を管理制御する表示制御装置とを有し、前記表示制御装置は、複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了するコンテンツ表示システムであって、
前記待機状態の表示装置に優先表示する待機コンテンツ画面の優先順位を管理する優先順位管理部と、
前記表示装置毎に、この表示装置の利用状態を管理し、この利用状態が待機状態の場合に現在表示中の待機コンテンツ画面を管理する状態管理部と、
前記待機状態の表示装置の内、任意の表示装置からの利用開始操作を検出すると、この利用開始操作に関わる表示装置に対応する表示終了の待機コンテンツ画面を前記状態管理部から検索し、この検索した待機コンテンツ画面に対応する優先順位を前記優先順位管理部から検索する優先順位検索部と、
この優先順位検索部にて検索した待機コンテンツ画面の優先順位よりも下位の待機コンテンツ画面を前記優先順位管理部から検索し、この検索した優先順位が下位の待機コンテンツ画面を表示している表示装置を前記状態管理部から検索し、この検索した表示装置の内、前記優先順位が最下位の待機コンテンツ画面を表示中の表示装置を表示対象の表示装置として特定する表示対象特定部と、
この表示対象特定部にて特定した表示対象の表示装置に前記利用開始操作に関わる表示装置で表示終了した待機コンテンツ画面を表示する表示制御部と
を有することを特徴とするコンテンツ表示システム。
【請求項２】
前記表示装置毎に、この表示装置から各表示装置までの距離を管理する距離管理部を有し、
前記表示対象特定部は、
前記優先順位が最下位の待機コンテンツ画面を表示中の表示装置が複数ある場合、これら複数の表示装置の内、前記距離管理部の管理内容に基づき、前記利用開始操作に関わる前記表示装置と距離的に最も近い表示装置を前記表示対象の表示装置として特定することを特徴とする請求項１記載のコンテンツ表示システム。
【請求項３】
前記表示制御部は、
前記表示対象特定部にて特定した表示対象の表示装置に前記利用開始操作に関わる表示装置で表示終了した待機コンテンツ画面を切替表示することを特徴とする請求項１又は２記載のコンテンツ表示システム。
【請求項４】
前記表示制御部は、
前記表示対象特定部にて特定した表示対象の表示装置に、この表示装置に現在表示中の待機コンテンツ画面の他に、前記利用開始操作に関わる表示装置で表示終了した待機コンテンツ画面を分割表示することを特徴とする請求項１又は２記載のコンテンツ表示システム。
【請求項５】
前記複数の待機コンテンツ画面の内、全ての表示装置の何れにも未表示の待機コンテンツ画面を管理する未表示コンテンツ管理部と、
前記表示装置からの利用終了操作を検出すると、前記未表示コンテンツ管理部に管理中の待機コンテンツ画面の内、前記優先順位が最上位の待機コンテンツ画面を検索する表示復帰コンテンツ検索部とを有し、
前記表示制御部は、
前記表示復帰コンテンツ検索部にて検索した最上位の待機コンテンツ画面を前記利用終了操作に関わる前記表示装置に表示することを特徴とする請求項３記載のコンテンツ表示システム。
【請求項６】
前記表示装置からの利用終了操作を検出すると、前記分割表示中の複数の待機コンテンツ画面の内、前記優先順位が最上位の待機コンテンツ画面を検索する表示復帰コンテンツ検索部を有し、
前記表示制御部は、
前記表示復帰コンテンツ検索部にて検索した最上位の待機コンテンツ画面を前記利用終了操作に関わる前記表示装置に表示することを特徴とする請求項４記載のコンテンツ表示システム。
【請求項７】
前記表示制御部は、
前記表示対象特定部にて特定した表示対象の表示装置に複数の待機コンテンツ画面を分割表示する際、これら分割表示する各待機コンテンツ画面の優先順位に応じて、各待機コンテンツ画面を表示する表示領域を設定することを特徴とする請求項４記載のコンテンツ表示システム。
【請求項８】
前記表示制御部は、
前記表示対象特定部にて特定した表示対象の表示装置に複数の待機コンテンツ画面を分割表示する際、これら分割表示する各待機コンテンツ画面の優先順位に応じて、各待機コンテンツ画面を表示する表示領域を設定することを特徴とする請求項６記載のコンテンツ表示システム。
【請求項９】
複数の表示装置を管理制御すると共に、複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了する処理をコンピュータ装置に実行させるコンテンツ表示プログラムであって、
前記待機状態の表示装置に優先表示する待機コンテンツ画面の優先順位を管理する優先順位管理手順と、
前記表示装置毎に、この表示装置の利用状態を管理し、この利用状態が待機状態の場合に現在表示中の待機コンテンツ画面を管理する状態管理手順と、
前記待機状態の表示装置の内、任意の表示装置からの利用開始操作を検出すると、この利用開始操作に関わる表示装置に対応する表示終了の待機コンテンツ画面を前記状態管理手順での管理内容から検索し、この検索した待機コンテンツ画面に対応する優先順位を前記優先順位管理手順での管理内容から検索する優先順位検索手順と、
この優先順位検索手順にて検索した待機コンテンツ画面の優先順位よりも下位の待機コンテンツ画面を前記優先順位管理手順での管理内容から検索し、この検索した優先順位が下位の待機コンテンツ画面を表示している表示装置を前記状態管理手順での管理内容から検索し、この検索した表示装置の内、前記優先順位が最下位の待機コンテンツ画面を表示中の表示装置を表示対象の表示装置として特定する表示対象特定手順と、
この表示対象特定手順にて特定した表示対象の表示装置に前記利用開始操作に関わる表示装置で表示終了した待機コンテンツ画面を表示する表示制御手順と
を前記コンピュータ装置に実行させることを特徴とするコンテンツ表示プログラム。
【請求項１０】
前記表示装置毎に、この表示装置から各表示装置までの距離を管理する距離管理手順を前記コンピュータ装置に実行させ、
前記表示対象特定手順は、
前記優先順位が最下位の待機コンテンツ画面を表示中の表示装置が複数ある場合、これら複数の表示装置の内、前記距離管理手順での管理内容に基づき、前記利用開始操作に関わる前記表示装置と距離的に最も近い表示装置を前記表示対象の表示装置として特定することを特徴とする請求項９記載のコンテンツ表示プログラム。
【請求項１１】
前記表示制御手順は、
前記表示対象特定手順にて特定した表示対象の表示装置に前記利用開始操作に関わる表示装置で表示終了した待機コンテンツ画面を切替表示することを特徴とする請求項９又は１０記載のコンテンツ表示プログラム。
【請求項１２】
前記表示制御手順は、
前記表示対象特定手順にて特定した表示対象の表示装置に、この表示装置に現在表示中の待機コンテンツ画面の他に、前記利用開始操作に関わる表示装置で表示終了した待機コンテンツ画面を分割表示することを特徴とする請求項９又は１０記載のコンテンツ表示プログラム。
【請求項１３】
前記複数の待機コンテンツ画面の内、全ての表示装置の何れにも未表示の待機コンテンツ画面を管理する未表示コンテンツ管理手順と、
前記表示装置からの利用終了操作を検出すると、前記未表示コンテンツ管理手順で管理中の待機コンテンツ画面の内、前記優先順位が最上位の待機コンテンツ画面を検索する表示復帰コンテンツ検索手順とを前記コンピュータ装置に実行させ、
前記表示制御手順は、
前記表示復帰コンテンツ検索手順にて検索した最上位の待機コンテンツ画面を前記利用終了操作に関わる前記表示装置に表示することを特徴とする請求項１１記載のコンテンツ表示プログラム。
【請求項１４】
前記表示装置からの利用終了操作を検出すると、前記分割表示中の複数の待機コンテンツ画面の内、前記優先順位が最上位の待機コンテンツ画面を検索する表示復帰コンテンツ検索手順を前記コンピュータ装置に実行させ、
前記表示制御手順は、
前記表示復帰コンテンツ検索手順にて検索した最上位の待機コンテンツ画面を前記利用終了操作に関わる前記表示装置に表示することを特徴とする請求項１２記載のコンテンツ表示プログラム。
【請求項１５】
前記表示制御手順は、
前記表示対象特定手順にて特定した表示対象の表示装置に複数の待機コンテンツ画面を分割表示する際、これら分割表示する各待機コンテンツ画面の優先順位に応じて、各待機コンテンツ画面を表示する表示領域を設定することを特徴とする請求項１２記載のコンテンツ表示プログラム。
【請求項１６】
前記表示制御手順は、
前記表示対象特定手順にて特定した表示対象の表示装置に複数の待機コンテンツ画面を分割表示する際、これら分割表示する各待機コンテンツ画面の優先順位に応じて、各待機コンテンツ画面を表示する表示領域を設定することを特徴とする請求項１４記載のコンテンツ表示プログラム。
【請求項１７】
複数の表示装置を管理制御すると共に、複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了するコンテンツ表示方法であって、
前記待機状態の表示装置に優先表示する待機コンテンツ画面の優先順位を管理する優先順位管理ステップと、
前記表示装置毎に、この表示装置の利用状態を管理し、この利用状態が待機状態の場合に現在表示中の待機コンテンツ画面を管理する状態管理ステップと、
前記待機状態の表示装置の内、任意の表示装置からの利用開始操作を検出すると、この利用開始操作に関わる表示装置に対応する表示終了の待機コンテンツ画面を前記状態管理ステップでの管理内容から検索し、この検索した待機コンテンツ画面に対応する優先順位を前記優先順位管理ステップでの管理内容から検索する優先順位検索ステップと、
この優先順位検索ステップにて検索した待機コンテンツ画面の優先順位よりも下位の待機コンテンツ画面を前記優先順位管理ステップでの管理内容から検索し、この検索した優先順位が下位の待機コンテンツ画面を表示している表示装置を前記状態管理ステップでの管理内容から検索し、この検索した表示装置の内、前記優先順位が最下位の待機コンテンツ画面を表示中の表示装置を表示対象の表示装置として特定する表示対象特定ステップと、
この表示対象特定ステップにて特定した表示対象の表示装置に前記利用開始操作に関わる表示装置で表示終了した待機コンテンツ画面を表示する表示制御ステップと
を含むことを特徴とするコンテンツ表示方法。
【請求項１８】
前記表示装置毎に、この表示装置から各表示装置までの距離を管理する距離管理ステップを含み、
前記表示対象特定ステップは、
前記優先順位が最下位の待機コンテンツ画面を表示中の表示装置が複数ある場合、これら複数の表示装置の内、前記距離管理ステップの管理内容に基づき、前記利用開始操作に関わる前記表示装置と距離的に最も近い表示装置を前記表示対象の表示装置として特定することを特徴とする請求項１７記載のコンテンツ表示方法。
【請求項１９】
前記表示制御ステップは、
前記表示対象特定ステップにて特定した表示対象の表示装置に前記利用開始操作に関わる表示装置で表示終了した待機コンテンツ画面を切替表示することを特徴とする請求項１７又は１８記載のコンテンツ表示方法。
【請求項２０】
前記表示制御ステップは、
前記表示対象特定ステップにて特定した表示対象の表示装置に、この表示装置に現在表示中の待機コンテンツ画面の他に、前記利用開始操作に関わる表示装置で表示終了した待機コンテンツ画面を分割表示することを特徴とする請求項１７又は１８記載のコンテンツ表示方法。
【請求項２１】
前記複数の待機コンテンツ画面の内、全ての表示装置の何れにも未表示の待機コンテンツ画面を管理する未表示コンテンツ管理ステップと、
前記表示装置からの利用終了操作を検出すると、前記未表示コンテンツ管理ステップで管理中の待機コンテンツ画面の内、前記優先順位が最上位の待機コンテンツ画面を検索する表示復帰コンテンツ検索ステップとを含み、
前記表示制御ステップは、
前記表示復帰コンテンツ検索ステップにて検索した最上位の待機コンテンツ画面を前記利用終了操作に関わる前記表示装置に表示することを特徴とする請求項１９記載のコンテンツ表示方法。
【請求項２２】
前記表示装置からの利用終了操作を検出すると、前記分割表示中の複数の待機コンテンツ画面の内、前記優先順位が最上位の待機コンテンツ画面を検索する表示復帰コンテンツ検索ステップを含み、
前記表示制御ステップは、
前記表示復帰コンテンツ検索ステップにて検索した最上位の待機コンテンツ画面を前記利用終了操作に関わる前記表示装置に表示することを特徴とする請求項２０記載のコンテンツ表示方法。
【請求項２３】
前記表示制御ステップは、
前記表示対象特定ステップにて特定した表示対象の表示装置に複数の待機コンテンツ画面を分割表示する際、これら分割表示する各待機コンテンツ画面の優先順位に応じて、各待機コンテンツ画面を表示する表示領域を設定することを特徴とする請求項２０記載のコンテンツ表示方法。
【請求項２４】
前記表示制御ステップは、
前記表示対象特定ステップにて特定した表示対象の表示装置に複数の待機コンテンツ画面を分割表示する際、これら分割表示する各待機コンテンツ画面の優先順位に応じて、各待機コンテンツ画面を表示する表示領域を設定することを特徴とする請求項２２記載のコンテンツ表示方法。
【発明の詳細な説明】
【技術分野】
【０００１】
本発明は、複数の表示装置と、これら複数の表示装置を管理制御する表示制御装置とを有し、前記表示制御装置は、複数の待機コンテンツ画面の内、任意の待機コンテンツ画面を待機状態の表示装置に夫々表示させるコンテンツ表示システム、コンテンツ表示プログラム及びコンテンツ表示方法に関する。
【背景技術】
【０００２】
従来、このようなコンテンツ表示システムによれば、様々なコンテンツ画面を表示するインタラクティブ表示装置等の表示装置を会場内の各種場所に配置し、この表示装置に表示中のコンテンツ画面及び、このコンテンツ画面上に基づく各種操作に応じて、会場内の不特定多数のユーザに様々な情報を提供するシステムが広く普及している。【０００３】
このような従来のコンテンツ表示システムとしては、複数の表示装置と、これら複数の表示装置を管理制御する表示制御装置とを有し、前記表示制御装置は、例えば男性大人向けのコンテンツ画面、女性大人向けのコンテンツ画面や子供向けのコンテンツ画面等の複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了する技術が知られている。【０００４】
【特許文献１】特開２００３−３２３４５８号公報
【特許文献２】特開２００４−１８５４５６号公報
【発明の開示】
【発明が解決しようとする課題】
【０００５】
しかしながら、上記従来のコンテンツ表示システムによれば、表示装置毎に待機コンテンツ画面を設定し、待機状態の表示装置に任意の待機コンテンツ画面を表示中に、この待機状態の表示装置から利用開始操作を検出すると、この表示装置に表示中の待機コンテンツ画面の表示を終了してしまうことになるため、例えば、この待機コンテンツ画面の重要度が高く、しかも、この待機コンテンツ画面を表示する表示装置が一台しかなかった場合、この表示装置の利用開始に応じて、この重要な待機コンテンツ画面をユーザ側で視認できる機会を逸してしまう虞がある。【０００６】
そこで、本発明は上記点に鑑みてなされたものであり、その目的とするところは、例えば優先順位が上位の待機コンテンツ画面を表示中の表示装置が一台で、同表示装置の利用開始操作に応じて同表示装置に表示中の上位の待機コンテンツ画面の表示が終了したとしても、この上位の待機コンテンツ画面をユーザ側で視認できる機会を確保することができるコンテンツ表示システム、コンテンツ表示プログラム及びコンテンツ表示方法を提供することにある。
【課題を解決するための手段】
【０００７】
本システムは、複数の表示装置と、これら複数の表示装置を管理制御する表示制御装置とを有し、前記表示制御装置は、複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了するコンテンツ表示システムであって、前記待機状態の表示装置に優先表示する待機コンテンツ画面の優先順位を管理する優先順位管理部と、前記表示装置毎に、この表示装置の利用状態を管理し、この利用状態が待機状態の場合に現在表示中の待機コンテンツ画面を管理する状態管理部と、前記待機状態の表示装置の内、任意の表示装置からの利用開始操作を検出すると、この利用開始操作に関わる表示装置に対応する表示終了の待機コンテンツ画面を前記状態管理部から検索し、この検索した待機コンテンツ画面に対応する優先順位を前記優先順位管理部から検索する優先順位検索部と、この優先順位検索部にて検索した待機コンテンツ画面の優先順位よりも下位の待機コンテンツ画面を前記優先順位管理部から検索し、この検索した優先順位が下位の待機コンテンツ画面を表示している表示装置を前記状態管理部から検索し、この検索した表示装置の内、前記優先順位が最下位の待機コンテンツ画面を表示中の表示装置を表示対象の表示装置として特定する表示対象特定部と、この表示対象特定部にて特定した表示対象の表示装置に前記利用開始操作に関わる表示装置で表示終了した待機コンテンツ画面を表示する表示制御部とを有することを要件とする。【０００８】
また、本プログラムは、複数の表示装置を管理制御すると共に、複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了する処理をコンピュータ装置に実行させるコンテンツ表示プログラムであって、前記待機状態の表示装置に優先表示する待機コンテンツ画面の優先順位を管理する優先順位管理手順と、前記表示装置毎に、この表示装置の利用状態を管理し、この利用状態が待機状態の場合に現在表示中の待機コンテンツ画面を管理する状態管理手順と、前記待機状態の表示装置の内、任意の表示装置からの利用開始操作を検出すると、この利用開始操作に関わる表示装置に対応する表示終了の待機コンテンツ画面を前記状態管理手順での管理内容から検索し、この検索した待機コンテンツ画面に対応する優先順位を前記優先順位管理手順での管理内容から検索する優先順位検索手順と、この優先順位検索手順にて検索した待機コンテンツ画面の優先順位よりも下位の待機コンテンツ画面を前記優先順位管理手順での管理内容から検索し、この検索した優先順位が下位の待機コンテンツ画面を表示している表示装置を前記状態管理手順での管理内容から検索し、この検索した表示装置の内、前記優先順位が最下位の待機コンテンツ画面を表示中の表示装置を表示対象の表示装置として特定する表示対象特定手順と、この表示対象特定手順にて特定した表示対象の表示装置に前記利用開始操作に関わる表示装置で表示終了した待機コンテンツ画面を表示する表示制御手順とを前記コンピュータ装置に実行させることを要件とする。【０００９】
また、本方法は、複数の表示装置を管理制御すると共に、複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了するコンテンツ表示方法であって、前記待機状態の表示装置に優先表示する待機コンテンツ画面の優先順位を管理する優先順位管理ステップと、前記表示装置毎に、この表示装置の利用状態を管理し、この利用状態が待機状態の場合に現在表示中の待機コンテンツ画面を管理する状態管理ステップと、前記待機状態の表示装置の内、任意の表示装置からの利用開始操作を検出すると、この利用開始操作に関わる表示装置に対応する表示終了の待機コンテンツ画面を前記状態管理ステップでの管理内容から検索し、この検索した待機コンテンツ画面に対応する優先順位を前記優先順位管理ステップでの管理内容から検索する優先順位検索ステップと、この優先順位検索ステップにて検索した待機コンテンツ画面の優先順位よりも下位の待機コンテンツ画面を前記優先順位管理ステップでの管理内容から検索し、この検索した優先順位が下位の待機コンテンツ画面を表示している表示装置を前記状態管理ステップでの管理内容から検索し、この検索した表示装置の内、前記優先順位が最下位の待機コンテンツ画面を表示中の表示装置を表示対象の表示装置として特定する表示対象特定ステップと、この表示対象特定ステップにて特定した表示対象の表示装置に前記利用開始操作に関わる表示装置で表示終了した待機コンテンツ画面を表示する表示制御ステップとを含むことを要件とする。
【発明の効果】
【００１０】
開示システムは、待機状態の表示装置の内、任意の表示装置からの利用開始操作を検出すると、この利用開始操作に関わる表示装置に対応する表示終了の待機コンテンツ画面に対応する優先順位を検索し、この検索した待機コンテンツ画面の優先順位よりも下位の待機コンテンツ画面を表示している表示装置を検索し、この検索した表示装置の内、前記優先順位が最下位の待機コンテンツ画面を表示中の表示装置を表示対象の表示装置として特定し、この特定した表示対象の表示装置に前記利用開始操作に関わる表示装置で表示終了した待機コンテンツ画面を表示するようにしたので、例えば優先順位が上位の待機コンテンツ画面を表示中の表示装置が一台で、同表示装置の利用開始操作に応じて同表示装置に表示中の上位の待機コンテンツ画面の表示が終了したとしても、この上位の待機コンテンツ画面をユーザ側で視認できる機会を確保することができるという効果を奏する。【００１１】
また、開示プログラムは、待機状態の表示装置の内、任意の表示装置からの利用開始操作を検出すると、この利用開始操作に関わる表示装置に対応する表示終了の待機コンテンツ画面に対応する優先順位を検索し、この検索した待機コンテンツ画面の優先順位よりも下位の待機コンテンツ画面を表示している表示装置を検索し、この検索した表示装置の内、前記優先順位が最下位の待機コンテンツ画面を表示中の表示装置を表示対象の表示装置として特定し、この特定した表示対象の表示装置に前記利用開始操作に関わる表示装置で表示終了した待機コンテンツ画面を表示するようにしたので、例えば優先順位が上位の待機コンテンツ画面を表示中の表示装置が一台で、同表示装置の利用開始操作に応じて同表示装置に表示中の上位の待機コンテンツ画面の表示が終了したとしても、この上位の待機コンテンツ画面をユーザ側で視認できる機会を確保することができるという効果を奏する。【００１２】
また、開示方法は、待機状態の表示装置の内、任意の表示装置からの利用開始操作を検出すると、この利用開始操作に関わる表示装置に対応する表示終了の待機コンテンツ画面に対応する優先順位を検索し、この検索した待機コンテンツ画面の優先順位よりも下位の待機コンテンツ画面を表示している表示装置を検索し、この検索した表示装置の内、前記優先順位が最下位の待機コンテンツ画面を表示中の表示装置を表示対象の表示装置として特定し、この特定した表示対象の表示装置に前記利用開始操作に関わる表示装置で表示終了した待機コンテンツ画面を表示するようにしたので、例えば優先順位が上位の待機コンテンツ画面を表示中の表示装置が一台で、同表示装置の利用開始操作に応じて同表示装置に表示中の上位の待機コンテンツ画面の表示が終了したとしても、この上位の待機コンテンツ画面をユーザ側で視認できる機会を確保することができるという効果を奏する。
【図面の簡単な説明】
【００１３】
【図１】図１は、実施例１のコンテンツ表示システム内部の概略構成を示すブロック図である。
【図２】図２は、実施例１の表示制御装置内部の概略構成を示すブロック図である。
【図３】図３は、実施例１の表示制御装置の記憶部に記憶中の状態管理テーブルのテーブル内容を端的に示す説明図である。
【図４】図４は、実施例１の表示制御装置の記憶部に記憶中の距離管理テーブルのテーブル内容を端的に示す説明図である。
【図５】図５は、実施例１の表示制御装置の記憶部に記憶中の優先順位管理テーブルのテーブル内容を端的に示す説明図である。
【図６】図６は、実施例１の表示制御装置の第１待機コンテンツ画面表示処理に関わる制御部の処理動作を示すフローチャートである。
【図７】図７は、実施例１の表示制御装置の第１待機コンテンツ画面復帰処理に関わる制御部の処理動作を示すフローチャートである。
【図８】図８は、実施例１の表示制御装置の第１待機コンテンツ画面表示処理及び第１待機コンテンツ画面復帰処理に関わる各表示装置に表示する待機コンテンツ画面の遷移動作を端的に示す説明図である。
【図９】図９は、実施例２の表示制御装置内部の概略構成を示すブロック図である。
【図１０】図１０は、実施例２の表示制御装置の記憶部に記憶中の状態管理テーブルのテーブル内容を端的に示す説明図である。
【図１１】図１１は、実施例２の表示制御装置の第２待機コンテンツ画面表示処理に関わる制御部の処理動作を示すフローチャートである。
【図１２】図１２は、実施例２の表示制御装置の第２待機コンテンツ画面復帰処理に関わる制御部の処理動作を示すフローチャートである。
【図１３】図１３は、実施例２の表示制御装置の第２待機コンテンツ画面表示処理及び第２待機コンテンツ画面復帰処理に関わる各表示装置に表示する待機コンテンツ画面の遷移動作を端的に示す説明図である。
【符号の説明】
【００１４】
１  コンテンツ表示システム
２  表示装置
４  表示制御装置
２１  状態管理テーブル
２２  距離管理テーブル
２４  優先順位管理テーブル
２５  未表示コンテンツ管理テーブル
３２  優先順位検索部
３２Ａ  優先順位検索部
３３  切替表示対象特定部
３３Ａ  分割表示対象特定部
３４  表示制御部
３４Ａ  表示制御部
３５  表示復帰コンテンツ検索部
３５Ａ  表示復帰コンテンツ検索部
【発明を実施するための最良の形態】
【００１５】
以下、図面に基づき本発明のコンテンツ表示システム、コンテンツ表示プログラム及びコンテンツ表示方法に関わる実施例について詳細に説明する。【００１６】
まず、最初に本実施例の概要を説明するとすれば、その概要は、待機コンテンツ画面毎に優先順位を付与しておき、待機状態の表示装置の内、任意の表示装置からの利用開始操作を検出すると、この利用開始操作に関わる表示装置に対応する表示終了の待機コンテンツ画面に対応する優先順位を検索し、この検索した待機コンテンツ画面の優先順位よりも下位の待機コンテンツ画面を表示している表示装置を検索し、この検索した表示装置の内、前記優先順位が最下位の待機コンテンツ画面を表示中の表示装置を表示対象の表示装置として特定し、この特定した表示対象の表示装置に前記利用開始操作に関わる表示装置で表示終了した待機コンテンツ画面を表示するようにしたので、例えば優先順位が上位の待機コンテンツ画面を表示中の表示装置が一台で、同表示装置の利用開始操作に応じて同表示装置に表示中の上位の待機コンテンツ画面の表示が終了したとしても、この上位の待機コンテンツ画面をユーザ側で視認できる機会を確保することができるというものである。
【実施例１】
【００１７】
図１は実施例１のコンテンツ表示システム内部の概略構成を示すブロック図である。【００１８】
図１に示すコンテンツ表示システム１は、複数台のインタラクティブ表示装置（以下、単に表示装置と称する）２と、これら複数台の表示装置２（“Ａ１”〜“Ａ５”）をＬＡＮ（Local  Area  Network）３経由で管理制御する表示制御装置４とを有し、表示制御装置４は、複数の待機コンテンツ画面の内、任意の待機コンテンツ画面を待機中の表示装置２に夫々表示させると共に、表示装置２からの利用開始操作を検出すると、この表示装置２に表示中の待機コンテンツ画面の表示を終了するものである。【００１９】
表示装置２は、様々なコマンドを入力する操作部２Ａと、コンテンツ画面を表示するタッチパネル表示部２Ｂとを有し、ユーザは、操作部２Ａでは勿論のこと、タッチパネル表示部２Ｂに表示中のコンテンツ画面上で様々な情報を入力することが可能である。【００２０】
また、表示装置２は、“待機中”及び“利用中”の二種類の利用状態を有し、“待機中”の場合、任意の待機コンテンツ画面をタッチパネル表示部２Ｂ上に表示すると共に、“利用中”の場合、そのアプリケーション画面をタッチパネル表示部２Ｂ上に表示するものである。【００２１】
尚、表示装置２は、操作部２Ａ又はタッチパネル表示部２Ｂの利用開始操作に応じて、その利用状態を“待機中”から“利用中”に移行すると共に、操作部２Ａ又はタッチパネル表示部２Ｂの利用終了操作に応じて、その利用状態を“利用中”から“待機中”に移行するものである。【００２２】
また、待機コンテンツ画面には、例えば広告や案内等を含む男性大人向け用コンテンツ画面、女性大人向け用コンテンツ画面や子供向け用コンテンツ画面等の各種コンテンツ画面がある。尚、大人向け用コンテンツ画面では、大人の身長に応じて操作画面を画面上の上方にレイアウト配置するのに対し、子供向け用コンテンツ画面では子供の身長に応じて操作画面を画面上の下方にレイアウト配置しているものである。【００２３】
図２は実施例１の表示制御装置４内部の概略構成を示すブロック図である。【００２４】
図２に示す表示制御装置４は、ＬＡＮ３経由で複数台の表示装置２と通信接続する通信インタフェース１１と、この表示制御装置４に関わる各種情報を記憶する記憶部１２と、この表示制御装置４全体を制御する制御部１３とを有している。【００２５】
記憶部１２は、管理対象の複数台の表示装置２の利用状態を管理する状態管理テーブル２１と、表示装置２相互の距離を管理する距離管理テーブル２２と、表示装置２に画面表示する待機コンテンツ画面を格納する待機コンテンツ画面データベース２３と、待機コンテンツ画面毎の重要度、すなわち待機中の表示装置２に優先表示する待機コンテンツ画面の優先順位を管理する優先順位管理テーブル２４と、複数台の表示装置２の内、未表示の待機コンテンツ画面を未表示コンテンツとして管理する未表示コンテンツ管理テーブル２５とを有している。【００２６】
図３は実施例１の表示制御装置４の記憶部１２に記憶中の状態管理テーブル２１のテーブル内容を端的に示す説明図である。【００２７】
状態管理テーブル２１は、図３に示すように、管理対象の表示装置２毎に、この表示装置２の利用状態を管理すると共に、その利用状態が“待機中”の場合、この表示装置２に表示中の待機コンテンツ画面を表示コンテンツ情報として管理するものである。【００２８】
尚、説明の便宜上、状態管理テーブル２１では、表示装置２及び待機コンテンツ画面を対応付けて管理すると説明したが、同状態管理テーブル２１が表示装置２及び待機コンテンツ画面自体を管理しているものではなく、表示装置２を識別する表示装置識別名称及び待機コンテンツ画面を識別するコンテンツ識別名称を対応付けて管理していることは言うまでもない。【００２９】
また、制御部１３は、図３に示す状態管理テーブル２１のテーブル内容に基づき、例えば“Ａ１”の表示装置２の利用状態が“待機中”で“Ｃ５”の待機コンテンツ画面を表示中であることを認識することができる。【００３０】
図４は実施例１の表示制御装置４の記憶部１２に記憶中の距離管理テーブル２２のテーブル内容を端的に示す説明図である。【００３１】
距離管理テーブル２２は、図４に示すように、表示装置２毎に、この表示装置２から各表示装置２までの距離を管理するものである。制御部１３は、図４に示す距離管理テーブル２２のテーブル内容に基づき、例えば“Ａ１”の表示装置２の場合、“１”の“Ａ２”の表示装置２が最も近く、“２”の“Ａ３”の表示装置２が２番目に近く、“３”の“Ａ４”の表示装置２が３番目に近く、“４”の“Ａ５”の表示装置２が４番目に近いことが認識できるものである。【００３２】
図５は実施例１の表示制御装置４の記憶部１２に記憶中の優先順位管理テーブル２４のテーブル内容を端的に示す説明図である。【００３３】
優先順位管理テーブル２４は、図５に示すように、待機コンテンツ画面毎に、待機中の表示装置２に優先表示する待機コンテンツ画面の優先順位２４Ｂを管理するものである。【００３４】
尚、説明の便宜上、優先順位管理テーブル２４では、待機コンテンツ画面及び優先順位を対応付けて管理すると説明したが、待機コンテンツ画面自体を管理しているものではなく、待機コンテンツ画面を識別するコンテンツ識別名称毎に優先順位を管理していることは言うまでもない。【００３５】
制御部１３は、図５に示す優先順位管理テーブル２４のテーブル内容に基づき、“Ｃ５”→“Ｃ４”→“Ｃ３”→“Ｃ２”→“Ｃ１”の順に優先順位を管理し、例えば“Ｃ５”の待機コンテンツ画面の優先順位が最上位、すなわち最も重要度が高く、“Ｃ４”の待機コンテンツ画面の優先順位が第２位、すなわち２番目に重要度が高いことを認識することができるものである。【００３６】
また、図２に示す制御部１３は、通信インタフェース１１を通じてＬＡＮ３経由で複数台の表示装置２を監視制御する状態監視制御部３１と、状態監視制御部３１を通じて待機中の表示装置２側の利用開始操作を検出すると、利用開始操作に関わる表示装置２に表示中の待機コンテンツ画面の優先順位を優先順位管理テーブル２４から検索する優先順位検索部３２とを有している。【００３７】
状態監視制御部３１は、各表示装置２を監視し、この監視結果に基づき、各表示装置２の利用状態を管理する状態管理テーブル２１を更新するものである。【００３８】
優先順位検索部３２は、待機中の表示装置２の内、任意の表示装置２からの利用開始操作を検出すると、この利用開始操作に関わる表示装置２に対応する表示コンテンツ情報２１Ｃに基づき、表示終了の待機コンテンツ画面を状態管理テーブル２１から検索するものである。【００３９】
さらに、優先順位検索部３２は、この検索した待機コンテンツ画面に対応する優先順位を優先順位管理テーブル２４から検索するものである。【００４０】
また、制御部１３は、優先順位検索部３２にて検索した優先順位に基づき、待機コンテンツ画面を切替表示する切替表示対象の表示装置２を特定する切替表示対象特定部３３と、この切替表示対象特定部３３にて特定した切替表示対象の表示装置２に利用開始操作に関わる表示装置２で表示終了した待機コンテンツ画面を切替表示する表示制御部３４とを有している。【００４１】
切替表示対象特定部３３は、優先順位検索部３２にて検索した待機コンテンツ画面の優先順位よりも下位、すなわち重要度の小さい待機コンテンツ画面を優先順位管理テーブル２４から検索し、この検索した優先順位が下位の待機コンテンツ画面を表示している表示装置２を状態管理テーブル２１から検索するものである。【００４２】
切替表示対象特定部３３は、この検索した表示装置２の内、優先順位が最下位の待機コンテンツ画面を表示中の表示装置２が複数ない場合、この表示装置２を切替表示対象の表示装置２として特定するものである。【００４３】
また、切替表示対象特定部３３は、この検索した表示装置２の内、優先順位が最下位の待機コンテンツ画面を表示中の表示装置２が複数ある場合、これら複数の表示装置２の内、距離管理テーブル２２のテーブル内容に基づき、利用開始操作に関わる表示装置２と距離的に最も近い表示装置２を切替表示対象の表示装置２として特定するものである。【００４４】
表示制御部３４は、切替表示対象特定部３３にて切替表示対象の表示装置２を特定すると、この特定した切替表示対象の表示装置２に利用開始操作に関わる表示装置２で表示終了した待機コンテンツ画面を切替表示するものである。【００４５】
また、制御部１３は、状態監視制御部３１を通じて“利用中”の表示装置２側の利用終了操作を検出すると、利用終了操作に関わる表示装置２に表示する待機コンテンツ画面を検索する表示復帰コンテンツ検索部３５を有している。【００４６】
表示復帰コンテンツ検索部３５は、“利用中”の表示装置２側の利用終了操作を検出すると、未表示コンテンツ管理テーブル２５に管理中の待機コンテンツ画面があるか否かを判定し、未表示コンテンツ管理テーブル２５に管理中の待機コンテンツ画面がある場合、この待機コンテンツ画面の内、優先順位が最上位の待機コンテンツ画面を検索するものである。【００４７】
表示制御部３４は、表示復帰コンテンツ検索部３５にて検索した最上位の待機コンテンツ画面を利用終了操作に関わる表示装置２に表示するものである。【００４８】
表示制御部３４は、表示復帰コンテンツ検索部３５にて未表示コンテンツ管理テーブル２５に管理中の待機コンテンツ画面がない場合、優先順位に応じて任意の待機コンテンツ画面を利用終了操作に関わる表示装置２に表示するものである。【００４９】
尚、ここまで実施例１の構成について説明したが、その実施例１の構成要件と請求項記載の構成要件との対応関係を説明すると、請求項記載のコンテンツ表示システムはコンテンツ表示システム１、表示装置は表示装置２、表示制御装置は表示制御装置４、優先順位管理部は優先順位管理テーブル２４、状態管理部は状態管理テーブル２１、優先順位検索部は優先順位検索部３２、表示対象特定部は切替表示対象特定部３３、表示制御部は表示制御部３４、距離管理部は距離管理テーブル２２、未表示コンテンツ管理部は未表示コンテンツ管理テーブル２５、表示復帰コンテンツ検索部は表示復帰コンテンツ検索部３５に対応するものである。【００５０】
次に実施例１のコンテンツ表示システム１の動作について説明する。図６は実施例１の表示制御装置４の第１待機コンテンツ画面表示処理に関わる制御部１３の処理動作を示すフローチャートである。【００５１】
図６に示す第１待機コンテンツ画面表示処理は、“待機中”の表示装置２側の利用開始操作に応じて、この表示装置２で表示終了する待機コンテンツ画面を、この待機コンテンツ画面の優先順位よりも下位の待機コンテンツ画面を表示中の表示装置２に切替表示する処理である。【００５２】
図６において制御部１３内の状態監視制御部３１は、ＬＡＮ３経由で“待機中”の表示装置２から利用開始操作を検出したか否かを判定する（ステップＳ１１）。【００５３】
状態監視制御部３１は、利用開始操作を検出した場合（ステップＳ１１肯定）、この利用開始操作に関わる表示装置２に表示中の待機コンテンツ画面の表示を終了し、この表示装置２の利用状態を“待機中”から“利用中”へと状態管理テーブル２１を更新する（ステップＳ１２）。【００５４】
尚、状態管理テーブル２１では、その表示装置２の利用状態を“待機中”から“利用中”へ更新した場合でも、同表示装置２の表示終了の待機コンテンツ画面を同表示装置２で表示中の待機コンテンツ画面として管理しているものとする。【００５５】
制御部２内の優先順位検索部３２は、この利用開始操作に関わる表示装置２に対応する表示終了の待機コンテンツ画面を状態管理テーブル２１から検索し、この検索した待機コンテンツ画面に対応する優先順位を優先順位管理テーブル２４から検索する（ステップＳ１３）。【００５６】
制御部１３内の切替表示対象特定部３３は、表示終了の待機コンテンツ画面の優先順位を検索すると、この待機コンテンツ画面の優先順位よりも下位の待機コンテンツ画面を優先順位管理テーブル２４から検索し、この検索した優先順位が下位の待機コンテンツ画面を現在表示している表示装置２を状態管理テーブル２１から検索し、この検索結果に基づき、優先順位が下位の待機コンテンツ画面を現在表示している表示装置２があるか否かを判定する（ステップＳ１４）。【００５７】
切替表示対象特定部３３は、優先順位が下位の待機コンテンツ画面を現在表示している表示装置２がある場合（ステップＳ１４肯定）、これら表示装置２の中で、優先順位が最も下位の待機コンテンツ画面を表示中の表示装置２を特定する（ステップＳ１５）。【００５８】
切替表示対象特定部３３は、優先順位が最も下位の待機コンテンツ画面を表示中の表示装置２を特定すると、この特定した表示装置２が複数あるか否かを判定する（ステップＳ１６）。【００５９】
切替表示対象特定部３３は、この特定した表示装置２が複数ある場合（ステップＳ１６肯定）、距離管理テーブル２２のテーブル内容に基づき、ステップＳ１１の利用開始操作に関わる表示装置２と距離的に最も近い表示装置２を特定する（ステップＳ１７）。【００６０】
切替表示対象特定部３３は、ステップＳ１６にて特定した表示装置２が複数ない場合（ステップＳ１６否定）、又はステップＳ１７にて距離的に最も近い表示装置２を特定した場合、この特定した表示装置２を切替表示対象の表示装置２として特定する（ステップＳ１８）。【００６１】
制御部１３内の表示制御部３４は、ステップＳ１１の利用開始操作の表示装置２に関わる表示終了の待機コンテンツ画面を切替表示対象の表示装置２に切替表示する（ステップＳ１９）。この結果、表示装置２の利用開始操作に応じて待機コンテンツ画面が表示終了したとしても、この待機コンテンツ画面を切替表示対象の表示装置２で表示することになる。【００６２】
また、状態監視制御部３１は、待機コンテンツ画面を切替表示対象の表示装置２に切替表示すると、状態管理テーブル２１のテーブル内容に基づき、切替表示対象の表示装置２で切替表示前の待機コンテンツ画面を表示中の表示装置２があるか否かを判定する（ステップＳ２０）。【００６３】
状態監視制御部３１は、切替表示対象の表示装置２で切替表示前の待機コンテンツ画面を表示中の表示装置２がない場合（ステップＳ２０否定）、この切替表示前の待機コンテンツ画面を全ての表示装置２で表示されていない待機コンテンツ画面と判断し、この待機コンテンツ画面を未表示コンテンツとして未表示コンテンツ管理テーブル２５に登録する（ステップＳ２１）。【００６４】
そして、状態監視制御部３１は、切替表示対象の表示装置２に対応した状態管理テーブル２１内の表示コンテンツ情報を現在表示中の待機コンテンツ画面に切替更新すると共に、利用開始操作に関わる表示装置２に対応した状態管理テーブル２１内の表示コンテンツ情報を削除すべく、状態管理テーブル２１を更新し（ステップＳ２２）、この処理動作を終了する。【００６５】
また、状態監視制御部３１は、ステップＳ１１にて“待機中”の表示装置２からの利用開始操作を検出しなかった場合（ステップＳ１１否定）、この処理動作を終了する。【００６６】
また、切替表示対象特定部３３は、ステップＳ１４にて優先順位が下位の待機コンテンツ画面を現在表示している表示装置２がない場合（ステップＳ１４否定）、利用開始操作の表示装置２に対応した状態管理テーブル２１内の表示コンテンツ情報を削除すべく、状態管理テーブル２１を更新し（ステップＳ２３）、この処理動作を終了する。【００６７】
また、状態監視制御部３１は、ステップＳ２０にて切替表示対象の表示装置２で切替表示前の待機コンテンツ画面を表示中の表示装置２がある場合（ステップＳ２０肯定）、未表示コンテンツ管理テーブル２５に登録することなく、ステップＳ２２に移行する。【００６８】
図６に示す第１待機コンテンツ画面表示処理によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２がある場合、この表示装置２の内、優先順位が最下位の待機コンテンツ画面を表示する表示装置２を切替表示対象の表示装置２として特定し、この特定した表示装置２に、利用開始操作に応じて表示終了した待機コンテンツ画面を切替表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この上位の待機コンテンツ画面をユーザ側で視認できる機会を確保することができる。【００６９】
また、第１待機コンテンツ画面表示処理によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２があるか否かを判定し、この優先順位よりも下位の待機コンテンツ画面を表示している表示装置２がある場合、この表示装置２の内、優先順位が最下位の待機コンテンツ画面を表示する表示装置２が複数あるか否かを判定し、この表示装置２が複数ある場合、利用開始操作に関わる表示装置２と距離的に最も近い表示装置２を切替表示対象の表示装置２として特定し、この特定した表示装置２に、利用開始操作に応じて表示終了した待機コンテンツ画面を切替表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この表示終了した表示装置２になるべく距離的に近い表示装置２を通じて、この上位の待機コンテンツ画面をユーザ側で視認できる機会を確保することができる。【００７０】
図７は実施例１の表示制御装置４の第１待機コンテンツ画面復帰処理に関わる制御部１３内部の処理動作を示すフローチャートである。【００７１】
図７に示す第１待機コンテンツ画面復帰処理は、“利用中”の表示装置２から利用終了操作に応じて表示装置２が“利用中”から“待機中”に移行する際、この表示装置２に待機コンテンツ画面を復帰表示させる処理である。【００７２】
図７において制御部１３内部の状態監視制御部３１は、“利用中”の表示装置２から利用終了操作を検出したか否かを判定する（ステップＳ３１）。【００７３】
状態監視制御部３１は、表示装置２から利用終了操作を検出した場合（ステップＳ３１肯定）、この利用終了操作に関わる表示装置２の利用状態を“利用中”から“待機中”へと状態管理テーブル２１を更新する（ステップＳ３２）。【００７４】
次に制御部１３内の表示復帰コンテンツ検索部３５は、未表示コンテンツ管理テーブル２５内に未表示コンテンツがあるか否かを判定する（ステップＳ３３）。【００７５】
表示復帰コンテンツ検索部３５は、未表示コンテンツがある場合（ステップＳ３３肯定）、優先順位管理テーブル２４のテーブル内容に基づき、これら未表示コンテンツの内、優先順位が最上位の待機コンテンツ画面を検索する（ステップＳ３４）。【００７６】
表示制御部３４は、未表示コンテンツの内、優先順位が最上位の待機コンテンツ画面を検索すると、この最上位の待機コンテンツ画面を利用終了操作に関わる表示装置２に表示する（ステップＳ３５）。【００７７】
状態監視制御部３１は、この利用終了操作に関わる表示装置２へ待機コンテンツ画面を表示すると、この表示装置２に対応した状態管理テーブル２１内の表示コンテンツ情報に現在表示中の待機コンテンツ画面を登録すべく、状態管理テーブル２１を更新する（ステップＳ３６）。【００７８】
さらに、状態監視制御部３１は、この待機コンテンツ画面に対応する未表示コンテンツを未表示コンテンツ管理テーブル２５から削除すべく、未表示コンテンツ管理テーブル２５を更新し（ステップＳ３７）、この処理動作を終了する。【００７９】
また、状態監視制御部３１は、ステップＳ３１にて表示装置２から利用終了操作を検出しなかった場合（ステップＳ３１否定）、この処理動作を終了する。【００８０】
また、表示制御部３４は、ステップＳ３３にて未表示コンテンツがない場合（ステップＳ３３否定）、優先順位に応じて最上位の待機コンテンツ画面を利用終了操作の表示装置２に表示する（ステップＳ３８）。【００８１】
尚、ステップＳ３８の処理では、全ての待機コンテンツ画面を待機中の表示装置２で表示しているため、優先順位に応じて最上位の待機コンテンツ画面を利用終了操作の表示装置２に表示するものであるが、この待機コンテンツの選択については適宜変更可能である。【００８２】
また、状態監視制御部３１は、ステップＳ３８にて待機コンテンツ画面を利用終了操作の表示装置２に表示すると、この表示装置２に対応する状態管理テーブル２１内の表示コンテンツ情報に現在表示中の待機コンテンツ画面を登録すべく、状態管理テーブル２１を更新し（ステップＳ３９）、この処理動作を終了する。【００８３】
図７に示す第１待機コンテンツ画面復帰処理によれば、“利用中”の表示装置２から利用終了操作を検出すると、未表示コンテンツ管理テーブル２５内に未表示コンテンツがあるか否かを判定し、未表示コンテンツがある場合、この未表示コンテンツの内、最上位の待機コンテンツ画面を利用終了操作の表示装置２に表示するようにしたので、複数の待機コンテンツ画面の内、未表示の待機コンテンツ画面を極力低減することで、ユーザ側で視認できる機会を確保することができる。【００８４】
また、第１待機コンテンツ画面復帰処理によれば、“利用中”の表示装置２から利用終了操作を検出すると、未表示コンテンツ管理テーブル２５内に未表示コンテンツがあるか否かを判定し、未表示コンテンツがない場合、優先順位に応じて、最上位の待機コンテンツ画面を利用終了操作の表示装置２に表示するようにしたので、未表示の待機コンテンツ画面を極力低減しながら、優先順位が最上位、すなわち最も重要度の高い待機コンテンツ画面を表示することができる。【００８５】
では、これら図６に示す第１待機コンテンツ画面表示処理及び、図７に示す第１待機コンテンツ画面復帰処理の動作を各表示装置２の表示態様を交えて説明する。図８は実施例１の第１待機コンテンツ画面表示処理及び第１待機コンテンツ画面復帰処理に関わる各表示装置２の待機コンテンツ画面の遷移動作を端的に示す説明図である。【００８６】
図８に示すように、例えば“Ａ１”の表示装置２に“Ｃ５”の待機コンテンツ画面、“Ａ２”の表示装置２に“Ｃ４”の待機コンテンツ画面、“Ａ３”及び“Ａ４”の表示装置２に“Ｃ２”の待機コンテンツ画面、“Ａ５”の表示装置２に“Ｃ３”の待機コンテンツ画面を表示し、“Ａ１”〜“Ａ５”の全表示装置２の利用状態が“待機中”、待機コンテンツ画面の優先順位を高い順に“Ｃ５”→“Ｃ４”→“Ｃ３”→“Ｃ２”としたシステムを想定する。【００８７】
まず、図８に示す第１段階において表示制御装置４は、“Ａ２”の表示装置２の利用開始操作を検出すると、この表示装置２に表示中の待機コンテンツ画面“Ｃ４”よりも優先順位が下位の待機コンテンツ画面、すなわち“Ｃ３”及び“Ｃ２”の待機コンテンツ画面を表示中の表示装置２、すなわち“Ａ３”，“Ａ４”及び“Ａ５”の表示装置２を検索結果として得る。【００８８】
そして、表示制御装置４は、これら“Ａ３”，“Ａ４”及び“Ａ５”の表示装置２の内、優先順位が最下位の待機コンテンツ画面、すなわち“Ｃ２”の待機コンテンツ画面を表示中の表示装置２、すなわち“Ａ３”及び“Ａ４”の表示装置２を検索結果として得る。【００８９】
さらに、表示制御装置４は、これら“Ａ３”及び“Ａ４”の表示装置２の内、利用開始操作に関わる“Ａ２”の表示装置２に最も近い“Ａ３”の表示装置２を切替表示対象の表示装置２として特定し、この切替表示対象の“Ａ３”の表示装置２に、利用開始操作に関わる表示装置２、すなわち“Ａ２”の表示装置２で表示終了した“Ｃ４”の待機コンテンツ画面を切替表示することになる（第２段階参照）。【００９０】
この結果、“Ａ２”の表示装置２の利用開始操作に応じて同表示装置２に表示中の“Ｃ４”の待機コンテンツ画面の表示が終了したとしても、この“Ｃ４”の待機コンテンツ画面をユーザ側で視認できる機会を確保することができる。【００９１】
その後、第２段階において表示制御装置４は、“Ａ３”の表示装置２の利用開始操作を検出すると、この表示装置２に表示中の待機コンテンツ画面“Ｃ４”よりも優先順位が下位の待機コンテンツ画面、すなわち“Ｃ３”及び“Ｃ２”の待機コンテンツ画面を表示中の表示装置２、すなわち“Ａ４”及び“Ａ５”の表示装置２を検索結果として得る。【００９２】
そして、表示制御装置４は、これら“Ａ４”及び“Ａ５”の表示装置２の内、優先順位が最下位の待機コンテンツ画面、すなわち“Ｃ２”の待機コンテンツ画面を表示中の表示装置２、すなわち“Ａ４”の表示装置２を検索結果として得る。【００９３】
さらに、表示制御装置４は、検索結果が一つであることから、“Ａ４”の表示装置２を切替表示対象の表示装置２として特定し、この切替表示対象の“Ａ４”の表示装置２に利用開始操作に関わる表示装置２、すなわち“Ａ３”の表示装置２で表示終了した“Ｃ４”の待機コンテンツ画面を切替表示することになる（第３段階参照）。【００９４】
この結果、“Ａ３”の表示装置２の利用開始操作に応じて同表示装置２に表示中の“Ｃ４”の待機コンテンツ画面の表示が終了したとしても、この“Ｃ４”の待機コンテンツ画面をユーザ側で視認できる機会を確保することができる。【００９５】
その後、第３段階において表示制御装置４は、“Ａ４”の表示装置２の利用開始操作を検出すると、この表示装置２に表示中の待機コンテンツ画面“Ｃ４”よりも優先順位が下位の待機コンテンツ画面、すなわち“Ｃ３”の待機コンテンツ画面を表示中の表示装置２、すなわち“Ａ５”の表示装置２を検索結果として得る。【００９６】
そして、表示制御装置４は、“Ａ５”の表示装置２を検索結果とし、この検索結果の内、優先順位が最下位の待機コンテンツ画面、すなわち“Ｃ３”の待機コンテンツ画面を表示中の表示装置２、すなわち“Ａ５”の表示装置２を検索結果として得る。【００９７】
さらに、表示制御装置４は、検索結果が一つであることから、“Ａ５”の表示装置２を切替表示対象の表示装置２として特定し、この切替表示対象の“Ａ５”の表示装置２に利用開始操作に関わる表示装置２、すなわち“Ａ４”の表示装置２で表示終了した“Ｃ４”の待機コンテンツ画面を切替表示することになる（第４段階参照）。【００９８】
この結果、“Ａ４”の表示装置２の利用開始操作に応じて同表示装置２に表示中の“Ｃ４”の待機コンテンツ画面の表示が終了したとしても、この“Ｃ４”の待機コンテンツ画面をユーザ側で視認できる機会を確保することができる。【００９９】
その後、第４段階において表示制御装置４は、利用中の“Ａ２”の表示装置２の利用終了操作を検出すると、未表示コンテンツ管理テーブル２５の未表示コンテンツの内、優先順位が最上位の待機コンテンツ画面、すなわち“Ｃ３”の待機コンテンツ画面を検索結果として得る。【０１００】
そして、表示制御装置４は、“Ｃ３”の待機コンテンツ画面を利用終了操作に関わる表示装置２、すなわち“Ａ２”の表示装置２に表示することになる（第５段階参照）。その結果、待機状態に復帰した表示装置２は、未表示コンテンツの内、最上位の待機コンテンツ画面を表示することになる。【０１０１】
実施例１によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２がある場合、この表示装置２の内、優先順位が最下位の待機コンテンツ画面を表示する表示装置２を切替表示対象の表示装置２として特定し、この特定した表示装置２に、利用開始操作に応じて表示終了した待機コンテンツ画面を切替表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この上位の待機コンテンツ画面をユーザ側で視認できる機会を確保することができる。【０１０２】
また、実施例１によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２があるか否かを判定し、この優先順位よりも下位の待機コンテンツ画面を表示している表示装置２がある場合、この表示装置２の内、優先順位が最下位の待機コンテンツ画面を表示する表示装置２が複数あるか否かを判定し、この表示装置２が複数ある場合、利用開始操作に関わる表示装置２と距離的に最も近い表示装置２を切替表示対象の表示装置２として特定し、この特定した表示装置２に、利用開始操作に応じて表示終了した待機コンテンツ画面を切替表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この表示終了した表示装置２になるべく距離的に近い表示装置２を通じて、この上位の待機コンテンツ画面をユーザ側で視認できる機会を確保することができる。【０１０３】
また、実施例１によれば、“利用中”の表示装置２から利用終了操作を検出すると、未表示コンテンツ管理テーブル２５内に未表示コンテンツがあるか否かを判定し、未表示コンテンツがある場合、この未表示コンテンツの内、最上位の待機コンテンツ画面を利用終了操作の表示装置２に表示するようにしたので、複数の待機コンテンツ画面の内、未表示の待機コンテンツ画面を極力低減することで、ユーザ側で視認できる機会を確保することができる。【０１０４】
また、実施例１によれば、“利用中”の表示装置２から利用終了操作を検出すると、未表示コンテンツ管理テーブル２５内に未表示コンテンツがあるか否かを判定し、未表示コンテンツがない場合、優先順位に応じて、最上位の待機コンテンツ画面を利用終了操作の表示装置２に表示するようにしたので、未表示の待機コンテンツ画面を極力低減しながら、優先順位が最上位、すなわち最も重要度の高い待機コンテンツ画面を表示することができる。【０１０５】
尚、上記実施例１においては、“待機中”の表示装置２から利用開始操作を検出すると、この利用開始に応じて表示装置２で表示終了した待機コンテンツ画面を、この待機コンテンツ画面の優先順位よりも下位の待機コンテンツ画面を表示中の表示装置２に切替表示するようにしたが、１台の表示装置２のタッチパネル表示部２Ｂに一つの待機コンテンツ画面を切替表示するのではなく、１台の表示装置２のタッチパネル表示部２Ｂに複数の待機コンテンツ画面を分割表示するようにしても良く、この実施の形態につき、実施例２として以下に説明する。
【実施例２】
【０１０６】
尚、実施例１と同一の構成については同一符号を付すことで、その重複する構成及び動作の説明については省略する。図９は実施例２の表示制御装置４内部の概略構成を示すブロック図である。【０１０７】
実施例１の表示制御装置４と実施例２の表示制御装置４とが異なるところは、制御部１３内部の優先順位検索部３２、切替表示対象特定部３３、表示制御部３４及び表示復帰コンテンツ検索部３５の代わりに、図９に示すように、優先順位検索部３２Ａ、分割表示対象特定部３３Ａ、表示制御部３４Ａ及び表示復帰コンテンツ検索部３５Ａを設けると共に、記憶部１２内部の未表示コンテンツ管理テーブル２５を削除した点にある。【０１０８】
図９に示す表示制御装置４内部の制御部１３は、“待機中”の表示装置２から利用開始操作を検出すると、この利用開始操作に関わる表示装置２に表示中の待機コンテンツ画面の優先順位を優先順位管理テーブル２４から検索する優先順位検索部３２Ａを有している。【０１０９】
優先順位検索部３２Ａは、待機中の表示装置２の内、任意の表示装置２からの利用開始操作を検出すると、この利用開始操作に関わる表示装置２に対応する表示終了の待機コンテンツ画面を状態管理テーブル２１から検索するものである。尚、利用開始操作の表示装置２が分割表示中の場合は複数の待機コンテンツ画面を検索することになる。【０１１０】
さらに、優先順位検索部３２Ａは、この検索結果である待機コンテンツ画面に対応する優先順位を優先順位管理テーブル２４から検索し、この検索結果の優先順位の内、最上位の優先順位を、利用開始操作に関わる表示装置２の優先順位とするものである。【０１１１】
また、制御部１３は、優先順位検索部３２Ａにて検索した待機コンテンツ画面の最上位の優先順位に基づき、この利用開始の表示装置２で表示終了した待機コンテンツ画面を分割表示する分割表示対象の表示装置２を特定する分割表示対象特定部３３Ａと、この分割表示対象特定部３３Ａにて特定した分割表示対象の表示装置２に利用開始操作に関わる表示装置２で表示終了した待機コンテンツ画面を分割表示する表示制御部３４Ａとを有している。【０１１２】
分割表示対象特定部３３Ａは、優先順位検索部３２Ａにて検索した待機コンテンツ画面の最上位の優先順位よりも下位、すなわち重要度の小さい待機コンテンツ画面を優先順位管理テーブル２４から検索し、この検索した優先順位が下位の待機コンテンツ画面を表示している表示装置２を状態管理テーブル２１から検索するものである。【０１１３】
また、分割表示対象特定部３３Ａは、この検索した表示装置２の内、優先順位が最下位の待機コンテンツ画面を表示中の表示装置２が複数ない場合、この表示装置２を分割表示対象の表示装置２として特定するものである。【０１１４】
また、分割表示対象特定部３３Ａは、この検索した表示装置２の内、優先順位が最下位の待機コンテンツ画面を表示中の表示装置２が複数ある場合、これら複数の表示装置２の内、距離管理テーブル２２のテーブル内容に基づき、利用開始操作に関わる表示装置２と距離的に最も近い表示装置２を分割表示対象の表示装置２として特定するものである。【０１１５】
表示制御部３４Ａは、分割表示対象特定部３３Ａにて分割表示対象の表示装置２を特定すると、この特定した分割表示対象の表示装置２のタッチパネル表示部２Ｂの表示領域内で、現在表示中の待機コンテンツ画面の他に、利用開始操作に関わる表示装置２で表示終了した待機コンテンツ画面を分割表示するものである。【０１１６】
また、状態監視制御部３１は、表示制御部３４Ａにて分割表示対象の表示装置２に、現在表示中の待機コンテンツ画面の他に、利用開始操作に関わる表示装置２で表示終了した待機コンテンツ画面を分割表示すると、図１０に示すように、この分割表示対象の表示装置２に対応する状態管理テーブル２１内の分割表示中の複数の待機コンテンツ画面に関わる表示コンテンツ情報を登録すべく、状態管理テーブル２１を更新するものである。【０１１７】
制御部１３は、状態管理テーブル２１のテーブル内容に基づき、例えば“Ａ５”の表示装置２は利用状態が“待機中”で“Ｃ４”、“Ｃ３”、“Ｃ２”及び“Ｃ１”の４つの待機コンテンツ画面をタッチパネル表示部２Ｂに分割表示中であることを認識することができるものである。【０１１８】
また、制御部１３は、表示復帰コンテンツ検索部３５の代わりに、状態監視制御部３１を通じて“利用中”の表示装置２側の利用終了操作を検出すると、利用終了操作に関わる表示装置２に表示する待機コンテンツ画面を検索する表示復帰コンテンツ検索部３５Ａを有している。【０１１９】
この表示復帰コンテンツ検索部３５Ａは、“利用中”の表示装置２側の利用終了操作を検出すると、分割表示中の表示装置２を状態管理テーブル２１のテーブル内容から検索し、この分割表示中の表示装置２で現在表示している複数の待機コンテンツ画面の内、前記優先順位が最上位の待機コンテンツ画面を検索するものである。【０１２０】
表示制御部３４Ａは、表示復帰コンテンツ検索部３５Ａにて検索した最上位の待機コンテンツ画面を利用終了操作の表示装置２に表示するものである。【０１２１】
尚、ここまで実施例２の構成について説明したが、その実施例２の構成要件と請求項記載の構成要件との対応関係を説明すると、請求項記載のコンテンツ表示システムはコンテンツ表示システム１、表示装置は表示装置２、表示制御装置は表示制御装置４、優先順位管理部は優先順位管理テーブル２４、状態管理部は状態管理テーブル２１、優先順位検索部は優先順位検索部３２Ａ、表示対象特定部は分割表示対象特定部３３Ａ、表示制御部は表示制御部３４Ａ、距離管理部は距離管理テーブル２２、表示復帰コンテンツ検索部は表示復帰コンテンツ検索部３５Ａに対応するものである。【０１２２】
次に実施例２のコンテンツ表示システム１の動作について説明する。図１１は実施例２の表示制御装置４の第２待機コンテンツ画面表示処理に関わる制御部１３の処理動作を示すフローチャートである。【０１２３】
図１１に示す第２待機コンテンツ画面表示処理は、“待機中”の表示装置２側の利用開始操作に応じて、この表示装置２で表示終了する待機コンテンツ画面を、この待機コンテンツ画面の優先順位よりも下位の待機コンテンツ画面を表示中の表示装置２に分割表示する処理である。【０１２４】
図１１において制御部１３内の優先順位検索部３２Ａは、ステップＳ１１及びステップＳ１２の処理を経て、この利用開始操作に関わる表示装置２に対応する表示終了の待機コンテンツ画面を状態管理テーブル２１から検索し、この検索した待機コンテンツ画面に対応する優先順位を優先順位管理テーブル２４から検索する（ステップＳ４１）。【０１２５】
尚、優先順位検索部３２Ａは、利用開始操作の表示装置２が分割表示中の場合、複数の待機コンテンツ画面に応じて複数の優先順位を検索することになるため、この場合、これら複数の優先順位の内、最上位の優先順位を検索結果として得ることになる。【０１２６】
制御部１３内の分割表示対象特定部３３Ａは、表示終了の待機コンテンツ画面の優先順位を検索結果として得ると、この待機コンテンツ画面の優先順位よりも下位の待機コンテンツ画面を優先順位管理テーブル２４から検索し、この検索した優先順位が下位の待機コンテンツ画面を現在表示している表示装置２を状態管理テーブル２１から検索し、この検索結果に基づき、優先順位が下位の待機コンテンツ画面を現在表示している表示装置２があるか否かを判定する（ステップＳ４２）。【０１２７】
分割表示対象特定部３３Ａは、優先順位が下位の待機コンテンツ画面を現在表示している表示装置２がある場合（ステップＳ４２肯定）、これら表示装置２の中で、優先順位が最も下位の待機コンテンツ画面を表示中の表示装置２を特定する（ステップＳ４３）。【０１２８】
分割表示対象特定部３３Ａは、優先順位が最も下位の待機コンテンツ画面を表示中の表示装置２を特定すると、この特定した表示装置２が複数あるか否かを判定する（ステップＳ４４）。【０１２９】
分割表示対象特定部３３Ａは、この特定した表示装置２が複数ある場合（ステップＳ４４肯定）、距離管理テーブル２２のテーブル内容に基づき、ステップＳ１１の利用開始操作に関わる表示装置２と距離的に最も近い表示装置２を特定する（ステップＳ４５）。【０１３０】
分割表示対象特定部３３Ａは、ステップＳ４４にて特定した表示装置２が複数ない場合（ステップＳ４４否定）、又はステップＳ４５にて距離的に最も近い表示装置２を特定した場合、この特定した表示装置２を分割表示対象の表示装置２として特定する（ステップＳ４６）。【０１３１】
制御部１３内の表示制御部３４Ａは、ステップＳ１１で利用開始操作の表示装置２に関わる表示終了の待機コンテンツ画面を、分割表示対象の表示装置２に現在表示中の待機コンテンツ画面と併せて分割表示する（ステップＳ４７）。【０１３２】
この結果、表示装置２の利用開始操作に応じて待機コンテンツ画面が表示終了したとしても、この待機コンテンツ画面を分割表示対象の表示装置２で分割表示することになる。【０１３３】
状態監視制御部３１は、分割表示対象の表示装置２に待機コンテンツ画面を分割表示すると、分割表示対象の表示装置２に対応した状態管理テーブル２１内の表示コンテンツ情報に分割表示中の複数の待機コンテンツ画面を登録すべく、状態管理テーブル２１を更新し（ステップＳ４８）、この処理動作を終了する。【０１３４】
また、分割表示対象特定部３３Ａは、ステップＳ４２にて優先順位が下位の待機コンテンツ画面を現在表示している表示装置２がない場合（ステップＳ４２否定）、利用開始操作の表示装置２に対応した状態管理テーブル２１内の表示コンテンツ情報を削除すべく、状態管理テーブル２１を更新し（ステップＳ４９）、この処理動作を終了する。【０１３５】
図１１に示す第２待機コンテンツ画面表示処理によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２がある場合、この表示装置２の内、優先順位が最下位の待機コンテンツ画面を表示する表示装置２を分割表示対象の表示装置２として特定し、この特定した表示装置２に、利用開始操作に応じて表示終了した待機コンテンツ画面を分割表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この表示終了した待機コンテンツ画面を他の表示装置２に分割表示することで、ユーザ側で視認できる機会を確実に確保することができる。【０１３６】
また、第２待機コンテンツ画面表示処理によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２がある場合、この表示装置２の内、優先順位が最下位の待機コンテンツ画面を表示する表示装置２が複数あるか否かを判定し、この表示装置２が複数ある場合、利用開始操作に関わる表示装置２と距離的に最も近い表示装置２を分割表示対象の表示装置２として特定し、この特定した表示装置２に利用開始操作に応じて表示終了した待機コンテンツ画面を分割表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この表示終了した表示装置２になるべく距離的に近い表示装置２を通じて、この上位の待機コンテンツ画面をユーザ側で視認できる機会を確実に確保することができる。【０１３７】
図１２は実施例２の表示制御装置４の第２待機コンテンツ画面復帰処理に関わる制御部１３の処理動作を示すフローチャートである。【０１３８】
図１２に示す第２待機コンテンツ画面復帰処理は、“利用中”の表示装置２から利用終了操作に応じて表示装置２が“利用中”から“待機中”に移行する際、この表示装置２に待機コンテンツ画面を復帰表示させる処理である。【０１３９】
図１２において制御部１３内の表示復帰コンテンツ検索部３５Ａは、ステップＳ３１及びステップＳ３２の処理動作を実行すると、図１０に示す状態管理テーブル２１の表示コンテンツ情報に基づき、分割表示中の表示装置２があるか否かを判定する（ステップＳ５１）。【０１４０】
表示復帰コンテンツ検索部３５Ａは、分割表示中の表示装置２がある場合（ステップＳ５１肯定）、優先順位管理テーブル２４のテーブル内容に基づき、これら表示装置２で分割表示中の複数の待機コンテンツ画面の内、優先順位が最上位の待機コンテンツ画面を検索する（ステップＳ５２）。【０１４１】
表示制御部３４Ａは、優先順位が最上位の待機コンテンツ画面を検索すると、この最上位の待機コンテンツ画面を利用終了操作に関わる表示装置２に表示する（ステップＳ５３）。【０１４２】
状態監視制御部３１は、この利用終了操作に関わる表示装置２へ待機コンテンツ画面を表示すると、この最上位の待機コンテンツ画面を分割表示中の表示装置２に対応する状態管理テーブル２１から同待機コンテンツ画面を削除すべく、状態管理テーブル２１を更新する（ステップＳ５４）。【０１４３】
さらに、状態監視制御部３１は、利用終了操作に関わる表示装置２へ待機コンテンツ画面を表示したことで、利用終了操作に関わる表示装置２に対応した状態管理テーブル２１内の表示コンテンツ情報に現在表示中の待機コンテンツ画面を登録すべく、状態管理テーブル２１を更新し（ステップＳ５５）、この処理動作を終了する。【０１４４】
また、表示復帰コンテンツ検索部３５Ａは、ステップＳ５１にて分割表示中の表示装置２がない場合（ステップＳ５１否定）、優先順位に応じて最上位の待機コンテンツ画面を利用終了操作の表示装置２に表示し（ステップＳ５６）、利用終了操作に関わる表示装置２に対応した状態管理テーブル２１内の表示コンテンツ情報に現在表示中の待機コンテンツ画面を登録すべく、ステップＳ５５に移行する。【０１４５】
尚、ステップＳ５６の処理では、全ての待機コンテンツ画面を“待機中”の表示装置２で表示しているため、優先順位に応じて最上位の待機コンテンツ画面を利用終了操作の表示装置２に表示するものであるが、この待機コンテンツの選択については適宜変更可能である。【０１４６】
図１２に示す第２待機コンテンツ画面復帰処理によれば、“利用中”の表示装置２から利用終了操作を検出すると、複数の待機コンテンツ画面を分割表示中の表示装置２があるか否かを判定し、分割表示中の表示装置２がある場合、これら分割表示中の複数の待機コンテンツ画面の内、最上位の待機コンテンツ画面を利用終了操作の表示装置２に表示するようにしたので、分割表示中の複数の待機コンテンツ画面の内、最上位の待機コンテンツ画面を通常画面で表示することができるため、ユーザ側で視認できる機会を大幅に向上させることができる。【０１４７】
また、第２待機コンテンツ画面復帰処理によれば、“利用中”の表示装置２から利用終了操作を検出すると、複数の待機コンテンツ画面を分割表示中の表示装置２があるか否かを判定し、分割表示中の表示装置２がない場合、優先順位に応じて、最上位の待機コンテンツ画面を利用終了操作の表示装置２に表示するようにしたので、優先順位が最上位、すなわち最も重要度の高い待機コンテンツ画面をユーザ側で視認できる機会を大幅に向上させることができる。【０１４８】
では、これら図１１に示す第２待機コンテンツ画面表示処理及び、図１２に示す第２待機コンテンツ画面復帰処理の動作を各表示装置２の表示態様を交えて説明する。図１３は実施例２の第２待機コンテンツ画面表示処理及び第２待機コンテンツ画面復帰処理に関わる各表示装置２の待機コンテンツ画面の遷移動作を端的に示す説明図である。【０１４９】
図１３に示すように、例えば“Ａ１”の表示装置２に“Ｃ５”の待機コンテンツ画面、“Ａ２”の表示装置２に“Ｃ４”の待機コンテンツ画面、“Ａ３”の表示装置２に“Ｃ１”の待機コンテンツ画面、“Ａ４”の表示装置２に“Ｃ２”の待機コンテンツ画面、“Ａ５”の表示装置２に“Ｃ３”の待機コンテンツ画面を表示し、“Ａ１”〜“Ａ５”の全表示装置２の利用状態が“待機中”、待機コンテンツ画面の優先順位を高い順に“Ｃ５”→“Ｃ４”→“Ｃ３”→“Ｃ２”→“Ｃ１”とシステムを想定する。【０１５０】
まず、第１段階において表示制御装置４は、“Ａ２”の表示装置２の利用開始操作を検出すると、この表示装置２に表示中の待機コンテンツ画面“Ｃ４”よりも優先順位が下位の待機コンテンツ画面、すなわち“Ｃ３”、“Ｃ２”及び“Ｃ１”の待機コンテンツ画面を表示中の表示装置２、すなわち“Ａ３”，“Ａ４”及び“Ａ５”の表示装置２を検索結果として得る。【０１５１】
そして、表示制御装置４は、これら“Ａ３”，“Ａ４”及び“Ａ５”の表示装置２の内、優先順位が最下位の待機コンテンツ画面、すなわち“Ｃ１”の待機コンテンツ画面を表示中の表示装置２、すなわち“Ａ３”の表示装置２を検索結果として得る。【０１５２】
さらに、表示制御装置４は、検索結果が一つであることから、この“Ａ３”の表示装置２を分割表示対象の表示装置２として特定し、この分割表示対象の“Ａ３”の表示装置２に、現在表示中の“Ｃ１”の待機コンテンツ画面の他に、利用開始操作に関わる表示装置２、すなわち“Ａ２”の表示装置２で表示終了した“Ｃ４”の待機コンテンツ画面を分割表示することになる（第２段階参照）。【０１５３】
この結果、“Ａ３”の表示装置２では、“Ｃ１”の待機コンテンツ画面は勿論のこと、利用開始操作に応じて表示終了した“Ｃ４”の待機コンテンツ画面を分割表示することで、表示終了した“Ｃ４”の待機コンテンツ画面の表示を確保することができる。【０１５４】
その後、第２段階において表示制御装置４は、“Ａ３”の表示装置２の利用開始操作を検出すると、この表示装置２に表示中の最上位の待機コンテンツ画面“Ｃ４”よりも優先順位が下位の待機コンテンツ画面、すなわち“Ｃ３”及び“Ｃ２”の待機コンテンツ画面を表示中の表示装置２、すなわち“Ａ４”及び“Ａ５”の表示装置２を検索結果として得る。【０１５５】
そして、表示制御装置４は、これら“Ａ４”及び“Ａ５”の表示装置２の内、優先順位が最下位の待機コンテンツ画面、すなわち“Ｃ２”の待機コンテンツ画面を表示中の表示装置２、すなわち“Ａ４”の表示装置２を検索結果として得る。【０１５６】
さらに、表示制御装置４は、検索結果が一つであることから、“Ａ４”の表示装置２を分割表示対象の表示装置２として特定し、この分割表示対象の“Ａ４”の表示装置２に、現在表示中の“Ｃ２”の待機コンテンツ画面の他、利用開始操作に関わる表示装置２、すなわち“Ａ３”の表示装置２で表示終了した“Ｃ４”及び“Ｃ１”の待機コンテンツ画面を分割表示することになる（第３段階参照）。【０１５７】
この結果、“Ａ４”の表示装置２では、“Ｃ２”の待機コンテンツ画面は勿論のこと、利用開始操作に応じて表示終了した“Ｃ４”及び“Ｃ１”の待機コンテンツ画面も分割表示することで、表示終了した“Ｃ４”及び“Ｃ１”の待機コンテンツ画面の表示を確保することができる。【０１５８】
その後、第３段階において表示制御装置４は、“Ａ４”の表示装置２の利用開始操作を検出すると、この表示装置２に表示中の最上位の待機コンテンツ画面“Ｃ４”よりも優先順位が下位の待機コンテンツ画面、すなわち“Ｃ３”の待機コンテンツ画面を表示中の表示装置２、すなわち“Ａ５”の表示装置２を検索結果として得る。【０１５９】
そして、表示制御装置４は、検索結果が一つであることから、“Ａ５”の表示装置２を分割表示対象の表示装置２として特定し、この分割表示対象の表示装置２、すなわち“Ａ５”の表示装置２に、現在表示中の“Ｃ３”の待機コンテンツ画面の他、利用開始操作に関わる表示装置２、すなわち“Ａ４”の表示装置２で表示終了した“Ｃ４”、“Ｃ２”及び“Ｃ１”の待機コンテンツ画面を分割表示することになる（第４段階参照）。【０１６０】
この結果、“Ａ５”の表示装置２では、“Ｃ３”の待機コンテンツ画面は勿論のこと、利用開始操作に応じて表示終了した“Ｃ４”、“Ｃ２”及び“Ｃ１”の待機コンテンツ画面も分割表示することで、表示終了した“Ｃ４”、“Ｃ２”及び“Ｃ１”の待機コンテンツ画面の表示を確保することができる。【０１６１】
その後、第４段階において表示制御装置４は、“利用中”の“Ａ２”の表示装置２の利用終了操作を検出すると、分割表示中の表示装置４の内、優先順位が最上位の待機コンテンツ画面、すなわち“Ｃ４”の待機コンテンツ画面を検索結果として得る。【０１６２】
そして、表示制御装置４は、“Ｃ４”の待機コンテンツ画面を利用終了操作に関わる表示装置２、すなわち“Ａ２”の表示装置２に表示すると共に、この“Ｃ４”の待機コンテンツ画面を分割表示した“Ａ５”の表示装置２から同“Ｃ４”の待機コンテンツ画面を削除することになる（第５段階参照）。その結果、待機状態に復帰した表示装置２は、分割表示中の複数の待機コンテンツの内、最上位の待機コンテンツ画面を表示することになる。【０１６３】
実施例２によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２がある場合、この表示装置２の内、優先順位が最下位の待機コンテンツ画面を表示する表示装置２を分割表示対象の表示装置２として特定し、この特定した表示装置２に、利用開始操作に応じて表示終了した待機コンテンツ画面を分割表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この表示終了した待機コンテンツ画面を他の表示装置２に分割表示することで、ユーザ側で視認できる機会を確実に確保することができる。【０１６４】
また、実施例２によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２がある場合、この表示装置２の内、優先順位が最下位の待機コンテンツ画面を表示する表示装置２が複数あるか否かを判定し、この表示装置２が複数ある場合、利用開始操作に関わる表示装置２と距離的に最も近い表示装置２を分割表示対象の表示装置２として特定し、この特定した表示装置２に利用開始操作に応じて表示終了した待機コンテンツ画面を分割表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この表示終了した表示装置２になるべく距離的に近い表示装置２を通じて、この上位の待機コンテンツ画面をユーザ側で視認できる機会を確実に確保することができる。【０１６５】
また、実施例２によれば、“利用中”の表示装置２から利用終了操作を検出すると、複数の待機コンテンツ画面を分割表示中の表示装置２があるか否かを判定し、分割表示中の表示装置２がある場合、これら分割表示中の複数の待機コンテンツ画面の内、最上位の待機コンテンツ画面を利用終了操作の表示装置２に表示するようにしたので、分割表示中の複数の待機コンテンツ画面の内、最上位の待機コンテンツ画面を通常画面で表示することができるため、ユーザ側で視認できる機会を大幅に向上させることができる。【０１６６】
また、実施例２によれば、“利用中”の表示装置２から利用終了操作を検出すると、複数の待機コンテンツ画面を分割表示中の表示装置２があるか否かを判定し、分割表示中の表示装置２がない場合、優先順位に応じて、最上位の待機コンテンツ画面を利用終了操作の表示装置２に表示するようにしたので、優先順位が最上位、すなわち最も重要度の高い待機コンテンツ画面をユーザ側で視認できる機会を大幅に向上させることができる。【０１６７】
尚、上記実施例２においては、分割表示対象の表示装置２に表示終了の待機コンテンツ画面を分割表示するようにしたが、この分割表示対象の表示装置２に表示終了の待機コンテンツ画面を分割表示する際、これら分割表示する複数の待機コンテンツ画面の優先順位に応じて待機コンテンツ画面を表示するタッチパネル表示部２Ｂ上の表示領域サイズを変更するようにしても良いことは言うまでもない。【０１６８】
また、上記実施例１及び実施例２においては、待機コンテンツ画面を表示制御装置４側の待機コンテンツ画面データベース２３で管理し、表示制御装置４は、待機コンテンツ画面データベース２３に管理中の待機コンテンツ画面を各表示装置２に表示させるようにしたが、例えば表示装置２毎に、その内部に待機コンテンツ画面データベースを備えたり、また、別個に待機コンテンツ画面データベースをＬＡＮ３上に配置するようにしても、同様の効果が得られることは言うまでもない。【０１６９】
以上、本発明の実施例について説明したが、本実施例によって本発明の技術的思想の範囲が限定されるものではなく、請求の範囲に記載した技術的思想の範囲を逸脱しない限り、各種様々な実施例が実施可能であることは言うまでもない。また、本実施例に記載した効果は、これに限定されるものではない。【０１７０】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。【０１７１】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。【０１７２】
さらに、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【産業上の利用可能性】
【０１７３】
上記のように構成された本発明のコンテンツ表示システム、コンテンツ表示プログラム及びコンテンツ表示方法によれば、優先順位が上位の待機コンテンツ画面を表示中の表示装置が一台で、同表示装置の利用開始操作に応じて同表示装置に表示中の上位の待機コンテンツ画面の表示が終了したとしても、この上位の待機コンテンツ画面をユーザ側で視認できる機会を確実に確保できるようにしたので、例えば会場等に複数の表示装置を配置し、様々な広告や案内を含む待機コンテンツ画面を表示する表示システムに有用である。
【図１】
2009122522.tif 000003
【図２】
2009122522.tif 000004
【図３】
2009122522.tif 000005
【図４】
2009122522.tif 000006
【図５】
2009122522.tif 000007
【図６】
2009122522.tif 000008
【図７】
2009122522.tif 000009
【図８】
2009122522.tif 000010
【図９】
2009122522.tif 000011
【図１０】
2009122522.tif 000012
【図１１】
2009122522.tif 000013
【図１２】
2009122522.tif 000014
【図１３】
2009122522.tif 000015
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
複数の表示装置と、これら複数の表示装置を管理制御する表示制御装置とを有し、前記表示制御装置は、複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了するコンテンツ表示システムであって、
前記待機状態の表示装置に優先表示する待機コンテンツ画面の優先順位を管理する優先順位管理部と、
前記表示装置毎に、この表示装置の利用状態を管理し、この利用状態が待機状態の場合に現在表示中の待機コンテンツ画面を管理する状態管理部と、
前記待機状態の表示装置の内、任意の表示装置からの利用開始操作を検出すると、この利用開始操作に関わる表示装置に対応する表示終了の待機コンテンツ画面を前記状態管理部から検索し、この検索した待機コンテンツ画面に対応する優先順位を前記優先順位管理部から検索する優先順位検索部と、
この優先順位検索部にて検索した待機コンテンツ画面の優先順位よりも下位の待機コンテンツ画面を前記優先順位管理部から検索し、この検索した優先順位が下位の待機コンテンツ画面を表示している表示装置を前記状態管理部から検索し、この検索した表示装置の内、前記優先順位が最下位の待機コンテンツ画面を表示中の表示装置を表示対象の表示装置として特定する表示対象特定部と、
この表示対象特定部にて特定した表示対象の表示装置に前記利用開始操作に関わる表示装置で表示終了した待機コンテンツ画面を表示する表示制御部と
を有することを特徴とするコンテンツ表示システム。 
【請求項２】
前記表示装置毎に、この表示装置から各表示装置までの距離を管理する距離管理部を有し、
前記表示対象特定部は、
前記優先順位が最下位の待機コンテンツ画面を表示中の表示装置が複数ある場合、これら複数の表示装置の内、前記距離管理部の管理内容に基づき、前記利用開始操作に関わる前記表示装置と距離的に最も近い表示装置を前記表示対象の表示装置として特定することを特徴とする請求項１記載のコンテンツ表示システム。 
【請求項３】
前記表示制御部は、
前記表示対象特定部にて特定した表示対象の表示装置に前記利用開始操作に関わる表示装置で表示終了した待機コンテンツ画面を切替表示することを特徴とする請求項１又は２記載のコンテンツ表示システム。 
【請求項４】
前記表示制御部は、
前記表示対象特定部にて特定した表示対象の表示装置に、この表示装置に現在表示中の待機コンテンツ画面の他に、前記利用開始操作に関わる表示装置で表示終了した待機コンテンツ画面を分割表示することを特徴とする請求項１又は２記載のコンテンツ表示システム。 
【請求項５】
前記複数の待機コンテンツ画面の内、全ての表示装置の何れにも未表示の待機コンテンツ画面を管理する未表示コンテンツ管理部と、
前記表示装置からの利用終了操作を検出すると、前記未表示コンテンツ管理部に管理中の待機コンテンツ画面の内、前記優先順位が最上位の待機コンテンツ画面を検索する表示復帰コンテンツ検索部とを有し、
前記表示制御部は、
前記表示復帰コンテンツ検索部にて検索した最上位の待機コンテンツ画面を前記利用終了操作に関わる前記表示装置に表示することを特徴とする請求項３記載のコンテンツ表示システム。 
【請求項６】
前記表示装置からの利用終了操作を検出すると、前記分割表示中の複数の待機コンテンツ画面の内、前記優先順位が最上位の待機コンテンツ画面を検索する表示復帰コンテンツ検索部を有し、
前記表示制御部は、
前記表示復帰コンテンツ検索部にて検索した最上位の待機コンテンツ画面を前記利用終了操作に関わる前記表示装置に表示することを特徴とする請求項４記載のコンテンツ表示システム。 
【請求項７】
前記表示制御部は、
前記表示対象特定部にて特定した表示対象の表示装置に複数の待機コンテンツ画面を分割表示する際、これら分割表示する各待機コンテンツ画面の優先順位に応じて、各待機コンテンツ画面を表示する表示領域を設定することを特徴とする請求項４記載のコンテンツ表示システム。 
【請求項８】
前記表示制御部は、
前記表示対象特定部にて特定した表示対象の表示装置に複数の待機コンテンツ画面を分割表示する際、これら分割表示する各待機コンテンツ画面の優先順位に応じて、各待機コンテンツ画面を表示する表示領域を設定することを特徴とする請求項６記載のコンテンツ表示システム。 
【請求項９】
複数の表示装置を管理制御すると共に、複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了する処理をコンピュータ装置に実行させるコンテンツ表示プログラムであって、
前記待機状態の表示装置に優先表示する待機コンテンツ画面の優先順位を管理する優先順位管理手順と、
前記表示装置毎に、この表示装置の利用状態を管理し、この利用状態が待機状態の場合に現在表示中の待機コンテンツ画面を管理する状態管理手順と、
前記待機状態の表示装置の内、任意の表示装置からの利用開始操作を検出すると、この利用開始操作に関わる表示装置に対応する表示終了の待機コンテンツ画面を前記状態管理手順での管理内容から検索し、この検索した待機コンテンツ画面に対応する優先順位を前記優先順位管理手順での管理内容から検索する優先順位検索手順と、
この優先順位検索手順にて検索した待機コンテンツ画面の優先順位よりも下位の待機コンテンツ画面を前記優先順位管理手順での管理内容から検索し、この検索した優先順位が下位の待機コンテンツ画面を表示している表示装置を前記状態管理手順での管理内容から検索し、この検索した表示装置の内、前記優先順位が最下位の待機コンテンツ画面を表示中の表示装置を表示対象の表示装置として特定する表示対象特定手順と、
この表示対象特定手順にて特定した表示対象の表示装置に前記利用開始操作に関わる表示装置で表示終了した待機コンテンツ画面を表示する表示制御手順と
を前記コンピュータ装置に実行させることを特徴とするコンテンツ表示プログラム。 
【請求項１０】
複数の表示装置を管理制御すると共に、複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了するコンテンツ表示方法であって、
前記待機状態の表示装置に優先表示する待機コンテンツ画面の優先順位を管理する優先順位管理ステップと、
前記表示装置毎に、この表示装置の利用状態を管理し、この利用状態が待機状態の場合に現在表示中の待機コンテンツ画面を管理する状態管理ステップと、
前記待機状態の表示装置の内、任意の表示装置からの利用開始操作を検出すると、この利用開始操作に関わる表示装置に対応する表示終了の待機コンテンツ画面を前記状態管理ステップでの管理内容から検索し、この検索した待機コンテンツ画面に対応する優先順位を前記優先順位管理ステップでの管理内容から検索する優先順位検索ステップと、
この優先順位検索ステップにて検索した待機コンテンツ画面の優先順位よりも下位の待機コンテンツ画面を前記優先順位管理ステップでの管理内容から検索し、この検索した優先順位が下位の待機コンテンツ画面を表示している表示装置を前記状態管理ステップでの管理内容から検索し、この検索した表示装置の内、前記優先順位が最下位の待機コンテンツ画面を表示中の表示装置を表示対象の表示装置として特定する表示対象特定ステップと、
この表示対象特定ステップにて特定した表示対象の表示装置に前記利用開始操作に関わる表示装置で表示終了した待機コンテンツ画面を表示する表示制御ステップと
を含むことを特徴とするコンテンツ表示方法。 
【手続補正２】
【補正対象書類名】明細書
【補正対象項目名】全文
【補正方法】変更
【補正の内容】
【発明の詳細な説明】
【技術分野】
【０００１】
本発明は、複数の表示装置と、これら複数の表示装置を管理制御する表示制御装置とを有し、前記表示制御装置は、複数の待機コンテンツ画面の内、任意の待機コンテンツ画面を待機状態の表示装置に夫々表示させるコンテンツ表示システム、コンテンツ表示プログラム及びコンテンツ表示方法に関する。 
【背景技術】
【０００２】
従来、このようなコンテンツ表示システムによれば、様々なコンテンツ画面を表示するインタラクティブ表示装置等の表示装置を会場内の各種場所に配置し、この表示装置に表示中のコンテンツ画面及び、このコンテンツ画面上に基づく各種操作に応じて、会場内の不特定多数のユーザに様々な情報を提供するシステムが広く普及している。 
【０００３】
このような従来のコンテンツ表示システムとしては、複数の表示装置と、これら複数の表示装置を管理制御する表示制御装置とを有し、前記表示制御装置は、例えば男性大人向けのコンテンツ画面、女性大人向けのコンテンツ画面や子供向けのコンテンツ画面等の複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了する技術が知られている。 
【先行技術文献】
【特許文献】
【０００４】
【特許文献１】特開２００３−３２３４５８号公報
【特許文献２】特開２００４−１８５４５６号公報
【発明の概要】
【発明が解決しようとする課題】
【０００５】
しかしながら、上記従来のコンテンツ表示システムによれば、表示装置毎に待機コンテンツ画面を設定し、待機状態の表示装置に任意の待機コンテンツ画面を表示中に、この待機状態の表示装置から利用開始操作を検出すると、この表示装置に表示中の待機コンテンツ画面の表示を終了してしまうことになるため、例えば、この待機コンテンツ画面の重要度が高く、しかも、この待機コンテンツ画面を表示する表示装置が一台しかなかった場合、この表示装置の利用開始に応じて、この重要な待機コンテンツ画面をユーザ側で視認できる機会を逸してしまう虞がある。 
【０００６】
そこで、本発明は上記点に鑑みてなされたものであり、その目的とするところは、例えば優先順位が上位の待機コンテンツ画面を表示中の表示装置が一台で、同表示装置の利用開始操作に応じて同表示装置に表示中の上位の待機コンテンツ画面の表示が終了したとしても、この上位の待機コンテンツ画面をユーザ側で視認できる機会を確保することができるコンテンツ表示システム、コンテンツ表示プログラム及びコンテンツ表示方法を提供することにある。 
【課題を解決するための手段】
【０００７】
本システムは、複数の表示装置と、これら複数の表示装置を管理制御する表示制御装置とを有し、前記表示制御装置は、複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了するコンテンツ表示システムであって、前記待機状態の表示装置に優先表示する待機コンテンツ画面の優先順位を管理する優先順位管理部と、前記表示装置毎に、この表示装置の利用状態を管理し、この利用状態が待機状態の場合に現在表示中の待機コンテンツ画面を管理する状態管理部と、前記待機状態の表示装置の内、任意の表示装置からの利用開始操作を検出すると、この利用開始操作に関わる表示装置に対応する表示終了の待機コンテンツ画面を前記状態管理部から検索し、この検索した待機コンテンツ画面に対応する優先順位を前記優先順位管理部から検索する優先順位検索部と、この優先順位検索部にて検索した待機コンテンツ画面の優先順位よりも下位の待機コンテンツ画面を前記優先順位管理部から検索し、この検索した優先順位が下位の待機コンテンツ画面を表示している表示装置を前記状態管理部から検索し、この検索した表示装置の内、前記優先順位が最下位の待機コンテンツ画面を表示中の表示装置を表示対象の表示装置として特定する表示対象特定部と、この表示対象特定部にて特定した表示対象の表示装置に前記利用開始操作に関わる表示装置で表示終了した待機コンテンツ画面を表示する表示制御部とを有することを要件とする。 
【０００８】
また、本プログラムは、複数の表示装置を管理制御すると共に、複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了する処理をコンピュータ装置に実行させるコンテンツ表示プログラムであって、前記待機状態の表示装置に優先表示する待機コンテンツ画面の優先順位を管理する優先順位管理手順と、前記表示装置毎に、この表示装置の利用状態を管理し、この利用状態が待機状態の場合に現在表示中の待機コンテンツ画面を管理する状態管理手順と、前記待機状態の表示装置の内、任意の表示装置からの利用開始操作を検出すると、この利用開始操作に関わる表示装置に対応する表示終了の待機コンテンツ画面を前記状態管理手順での管理内容から検索し、この検索した待機コンテンツ画面に対応する優先順位を前記優先順位管理手順での管理内容から検索する優先順位検索手順と、この優先順位検索手順にて検索した待機コンテンツ画面の優先順位よりも下位の待機コンテンツ画面を前記優先順位管理手順での管理内容から検索し、この検索した優先順位が下位の待機コンテンツ画面を表示している表示装置を前記状態管理手順での管理内容から検索し、この検索した表示装置の内、前記優先順位が最下位の待機コンテンツ画面を表示中の表示装置を表示対象の表示装置として特定する表示対象特定手順と、この表示対象特定手順にて特定した表示対象の表示装置に前記利用開始操作に関わる表示装置で表示終了した待機コンテンツ画面を表示する表示制御手順とを前記コンピュータ装置に実行させることを要件とする。 
【０００９】
また、本方法は、複数の表示装置を管理制御すると共に、複数の待機コンテンツ画面の内、任意の待機コンテンツ画面を待機状態の表示装置に夫々表示させると共に、前記表示装置からの利用開始操作を検出すると、この表示装置に表示中の待機コンテンツ画面の表示を終了するコンテンツ表示方法であって、前記待機状態の表示装置に優先表示する待機コンテンツ画面の優先順位を管理する優先順位管理ステップと、前記表示装置毎に、この表示装置の利用状態を管理し、この利用状態が待機状態の場合に現在表示中の待機コンテンツ画面を管理する状態管理ステップと、前記待機状態の表示装置の内、任意の表示装置からの利用開始操作を検出すると、この利用開始操作に関わる表示装置に対応する表示終了の待機コンテンツ画面を前記状態管理ステップでの管理内容から検索し、この検索した待機コンテンツ画面に対応する優先順位を前記優先順位管理ステップでの管理内容から検索する優先順位検索ステップと、この優先順位検索ステップにて検索した待機コンテンツ画面の優先順位よりも下位の待機コンテンツ画面を前記優先順位管理ステップでの管理内容から検索し、この検索した優先順位が下位の待機コンテンツ画面を表示している表示装置を前記状態管理ステップでの管理内容から検索し、この検索した表示装置の内、前記優先順位が最下位の待機コンテンツ画面を表示中の表示装置を表示対象の表示装置として特定する表示対象特定ステップと、この表示対象特定ステップにて特定した表示対象の表示装置に前記利用開始操作に関わる表示装置で表示終了した待機コンテンツ画面を表示する表示制御ステップとを含むことを要件とする。 
【発明の効果】
【００１０】
開示システムは、待機状態の表示装置の内、任意の表示装置からの利用開始操作を検出すると、この利用開始操作に関わる表示装置に対応する表示終了の待機コンテンツ画面に対応する優先順位を検索し、この検索した待機コンテンツ画面の優先順位よりも下位の待機コンテンツ画面を表示している表示装置を検索し、この検索した表示装置の内、前記優先順位が最下位の待機コンテンツ画面を表示中の表示装置を表示対象の表示装置として特定し、この特定した表示対象の表示装置に前記利用開始操作に関わる表示装置で表示終了した待機コンテンツ画面を表示するようにしたので、例えば優先順位が上位の待機コンテンツ画面を表示中の表示装置が一台で、同表示装置の利用開始操作に応じて同表示装置に表示中の上位の待機コンテンツ画面の表示が終了したとしても、この上位の待機コンテンツ画面をユーザ側で視認できる機会を確保することができるという効果を奏する。 
【００１１】
また、開示プログラムは、待機状態の表示装置の内、任意の表示装置からの利用開始操作を検出すると、この利用開始操作に関わる表示装置に対応する表示終了の待機コンテンツ画面に対応する優先順位を検索し、この検索した待機コンテンツ画面の優先順位よりも下位の待機コンテンツ画面を表示している表示装置を検索し、この検索した表示装置の内、前記優先順位が最下位の待機コンテンツ画面を表示中の表示装置を表示対象の表示装置として特定し、この特定した表示対象の表示装置に前記利用開始操作に関わる表示装置で表示終了した待機コンテンツ画面を表示するようにしたので、例えば優先順位が上位の待機コンテンツ画面を表示中の表示装置が一台で、同表示装置の利用開始操作に応じて同表示装置に表示中の上位の待機コンテンツ画面の表示が終了したとしても、この上位の待機コンテンツ画面をユーザ側で視認できる機会を確保することができるという効果を奏する。 
【００１２】
また、開示方法は、待機状態の表示装置の内、任意の表示装置からの利用開始操作を検出すると、この利用開始操作に関わる表示装置に対応する表示終了の待機コンテンツ画面に対応する優先順位を検索し、この検索した待機コンテンツ画面の優先順位よりも下位の待機コンテンツ画面を表示している表示装置を検索し、この検索した表示装置の内、前記優先順位が最下位の待機コンテンツ画面を表示中の表示装置を表示対象の表示装置として特定し、この特定した表示対象の表示装置に前記利用開始操作に関わる表示装置で表示終了した待機コンテンツ画面を表示するようにしたので、例えば優先順位が上位の待機コンテンツ画面を表示中の表示装置が一台で、同表示装置の利用開始操作に応じて同表示装置に表示中の上位の待機コンテンツ画面の表示が終了したとしても、この上位の待機コンテンツ画面をユーザ側で視認できる機会を確保することができるという効果を奏する。 
【図面の簡単な説明】
【００１３】
【図１】図１は、実施例１のコンテンツ表示システム内部の概略構成を示すブロック図である。
【図２】図２は、実施例１の表示制御装置内部の概略構成を示すブロック図である。
【図３】図３は、実施例１の表示制御装置の記憶部に記憶中の状態管理テーブルのテーブル内容を端的に示す説明図である。
【図４】図４は、実施例１の表示制御装置の記憶部に記憶中の距離管理テーブルのテーブル内容を端的に示す説明図である。
【図５】図５は、実施例１の表示制御装置の記憶部に記憶中の優先順位管理テーブルのテーブル内容を端的に示す説明図である。
【図６】図６は、実施例１の表示制御装置の第１待機コンテンツ画面表示処理に関わる制御部の処理動作を示すフローチャートである。
【図７】図７は、実施例１の表示制御装置の第１待機コンテンツ画面復帰処理に関わる制御部の処理動作を示すフローチャートである。
【図８】図８は、実施例１の表示制御装置の第１待機コンテンツ画面表示処理及び第１待機コンテンツ画面復帰処理に関わる各表示装置に表示する待機コンテンツ画面の遷移動作を端的に示す説明図である。
【図９】図９は、実施例２の表示制御装置内部の概略構成を示すブロック図である。
【図１０】図１０は、実施例２の表示制御装置の記憶部に記憶中の状態管理テーブルのテーブル内容を端的に示す説明図である。
【図１１】図１１は、実施例２の表示制御装置の第２待機コンテンツ画面表示処理に関わる制御部の処理動作を示すフローチャートである。
【図１２】図１２は、実施例２の表示制御装置の第２待機コンテンツ画面復帰処理に関わる制御部の処理動作を示すフローチャートである。
【図１３】図１３は、実施例２の表示制御装置の第２待機コンテンツ画面表示処理及び第２待機コンテンツ画面復帰処理に関わる各表示装置に表示する待機コンテンツ画面の遷移動作を端的に示す説明図である。
【発明を実施するための形態】
【００１４】
以下、図面に基づき本発明のコンテンツ表示システム、コンテンツ表示プログラム及びコンテンツ表示方法に関わる実施例について詳細に説明する。 
【００１５】
まず、最初に本実施例の概要を説明するとすれば、その概要は、待機コンテンツ画面毎に優先順位を付与しておき、待機状態の表示装置の内、任意の表示装置からの利用開始操作を検出すると、この利用開始操作に関わる表示装置に対応する表示終了の待機コンテンツ画面に対応する優先順位を検索し、この検索した待機コンテンツ画面の優先順位よりも下位の待機コンテンツ画面を表示している表示装置を検索し、この検索した表示装置の内、前記優先順位が最下位の待機コンテンツ画面を表示中の表示装置を表示対象の表示装置として特定し、この特定した表示対象の表示装置に前記利用開始操作に関わる表示装置で表示終了した待機コンテンツ画面を表示するようにしたので、例えば優先順位が上位の待機コンテンツ画面を表示中の表示装置が一台で、同表示装置の利用開始操作に応じて同表示装置に表示中の上位の待機コンテンツ画面の表示が終了したとしても、この上位の待機コンテンツ画面をユーザ側で視認できる機会を確保することができるというものである。
【実施例１】
【００１６】
図１は実施例１のコンテンツ表示システム内部の概略構成を示すブロック図である。 
【００１７】
図１に示すコンテンツ表示システム１は、複数台のインタラクティブ表示装置（以下、単に表示装置と称する）２と、これら複数台の表示装置２（“Ａ１”〜“Ａ５”）をＬＡＮ（Local  Area  Network）３経由で管理制御する表示制御装置４とを有し、表示制御装置４は、複数の待機コンテンツ画面の内、任意の待機コンテンツ画面を待機中の表示装置２に夫々表示させると共に、表示装置２からの利用開始操作を検出すると、この表示装置２に表示中の待機コンテンツ画面の表示を終了するものである。 
【００１８】
表示装置２は、様々なコマンドを入力する操作部２Ａと、コンテンツ画面を表示するタッチパネル表示部２Ｂとを有し、ユーザは、操作部２Ａでは勿論のこと、タッチパネル表示部２Ｂに表示中のコンテンツ画面上で様々な情報を入力することが可能である。 
【００１９】
また、表示装置２は、“待機中”及び“利用中”の二種類の利用状態を有し、“待機中”の場合、任意の待機コンテンツ画面をタッチパネル表示部２Ｂ上に表示すると共に、“利用中”の場合、そのアプリケーション画面をタッチパネル表示部２Ｂ上に表示するものである。 
【００２０】
尚、表示装置２は、操作部２Ａ又はタッチパネル表示部２Ｂの利用開始操作に応じて、その利用状態を“待機中”から“利用中”に移行すると共に、操作部２Ａ又はタッチパネル表示部２Ｂの利用終了操作に応じて、その利用状態を“利用中”から“待機中”に移行するものである。 
【００２１】
また、待機コンテンツ画面には、例えば広告や案内等を含む男性大人向け用コンテンツ画面、女性大人向け用コンテンツ画面や子供向け用コンテンツ画面等の各種コンテンツ画面がある。尚、大人向け用コンテンツ画面では、大人の身長に応じて操作画面を画面上の上方にレイアウト配置するのに対し、子供向け用コンテンツ画面では子供の身長に応じて操作画面を画面上の下方にレイアウト配置しているものである。 
【００２２】
図２は実施例１の表示制御装置４内部の概略構成を示すブロック図である。 
【００２３】
図２に示す表示制御装置４は、ＬＡＮ３経由で複数台の表示装置２と通信接続する通信インタフェース１１と、この表示制御装置４に関わる各種情報を記憶する記憶部１２と、この表示制御装置４全体を制御する制御部１３とを有している。 
【００２４】
記憶部１２は、管理対象の複数台の表示装置２の利用状態を管理する状態管理テーブル２１と、表示装置２相互の距離を管理する距離管理テーブル２２と、表示装置２に画面表示する待機コンテンツ画面を格納する待機コンテンツ画面データベース２３と、待機コンテンツ画面毎の重要度、すなわち待機中の表示装置２に優先表示する待機コンテンツ画面の優先順位を管理する優先順位管理テーブル２４と、複数台の表示装置２の内、未表示の待機コンテンツ画面を未表示コンテンツとして管理する未表示コンテンツ管理テーブル２５とを有している。 
【００２５】
図３は実施例１の表示制御装置４の記憶部１２に記憶中の状態管理テーブル２１のテーブル内容を端的に示す説明図である。 
【００２６】
状態管理テーブル２１は、図３に示すように、管理対象の表示装置２毎に、この表示装置２の利用状態を管理すると共に、その利用状態が“待機中”の場合、この表示装置２に表示中の待機コンテンツ画面を表示コンテンツ情報として管理するものである。 
【００２７】
尚、説明の便宜上、状態管理テーブル２１では、表示装置２及び待機コンテンツ画面を対応付けて管理すると説明したが、同状態管理テーブル２１が表示装置２及び待機コンテンツ画面自体を管理しているものではなく、表示装置２を識別する表示装置識別名称及び待機コンテンツ画面を識別するコンテンツ識別名称を対応付けて管理していることは言うまでもない。 
【００２８】
また、制御部１３は、図３に示す状態管理テーブル２１のテーブル内容に基づき、例えば“Ａ１”の表示装置２の利用状態が“待機中”で“Ｃ５”の待機コンテンツ画面を表示中であることを認識することができる。 
【００２９】
図４は実施例１の表示制御装置４の記憶部１２に記憶中の距離管理テーブル２２のテーブル内容を端的に示す説明図である。 
【００３０】
距離管理テーブル２２は、図４に示すように、表示装置２毎に、この表示装置２から各表示装置２までの距離を管理するものである。制御部１３は、図４に示す距離管理テーブル２２のテーブル内容に基づき、例えば“Ａ１”の表示装置２の場合、“１”の“Ａ２”の表示装置２が最も近く、“２”の“Ａ３”の表示装置２が２番目に近く、“３”の“Ａ４”の表示装置２が３番目に近く、“４”の“Ａ５”の表示装置２が４番目に近いことが認識できるものである。 
【００３１】
図５は実施例１の表示制御装置４の記憶部１２に記憶中の優先順位管理テーブル２４のテーブル内容を端的に示す説明図である。 
【００３２】
優先順位管理テーブル２４は、図５に示すように、待機コンテンツ画面毎に、待機中の表示装置２に優先表示する待機コンテンツ画面の優先順位２４Ｂを管理するものである。
【００３３】
尚、説明の便宜上、優先順位管理テーブル２４では、待機コンテンツ画面及び優先順位を対応付けて管理すると説明したが、待機コンテンツ画面自体を管理しているものではなく、待機コンテンツ画面を識別するコンテンツ識別名称毎に優先順位を管理していることは言うまでもない。 
【００３４】
制御部１３は、図５に示す優先順位管理テーブル２４のテーブル内容に基づき、“Ｃ５”→“Ｃ４”→“Ｃ３”→“Ｃ２”→“Ｃ１”の順に優先順位を管理し、例えば“Ｃ５”の待機コンテンツ画面の優先順位が最上位、すなわち最も重要度が高く、“Ｃ４”の待機コンテンツ画面の優先順位が第２位、すなわち２番目に重要度が高いことを認識することができるものである。 
【００３５】
また、図２に示す制御部１３は、通信インタフェース１１を通じてＬＡＮ３経由で複数台の表示装置２を監視制御する状態監視制御部３１と、状態監視制御部３１を通じて待機中の表示装置２側の利用開始操作を検出すると、利用開始操作に関わる表示装置２に表示中の待機コンテンツ画面の優先順位を優先順位管理テーブル２４から検索する優先順位検索部３２とを有している。 
【００３６】
状態監視制御部３１は、各表示装置２を監視し、この監視結果に基づき、各表示装置２の利用状態を管理する状態管理テーブル２１を更新するものである。 
【００３７】
優先順位検索部３２は、待機中の表示装置２の内、任意の表示装置２からの利用開始操作を検出すると、この利用開始操作に関わる表示装置２に対応する表示コンテンツ情報２１Ｃに基づき、表示終了の待機コンテンツ画面を状態管理テーブル２１から検索するものである。 
【００３８】
さらに、優先順位検索部３２は、この検索した待機コンテンツ画面に対応する優先順位を優先順位管理テーブル２４から検索するものである。 
【００３９】
また、制御部１３は、優先順位検索部３２にて検索した優先順位に基づき、待機コンテンツ画面を切替表示する切替表示対象の表示装置２を特定する切替表示対象特定部３３と、この切替表示対象特定部３３にて特定した切替表示対象の表示装置２に利用開始操作に関わる表示装置２で表示終了した待機コンテンツ画面を切替表示する表示制御部３４とを有している。 
【００４０】
切替表示対象特定部３３は、優先順位検索部３２にて検索した待機コンテンツ画面の優先順位よりも下位、すなわち重要度の小さい待機コンテンツ画面を優先順位管理テーブル２４から検索し、この検索した優先順位が下位の待機コンテンツ画面を表示している表示装置２を状態管理テーブル２１から検索するものである。 
【００４１】
切替表示対象特定部３３は、この検索した表示装置２の内、優先順位が最下位の待機コンテンツ画面を表示中の表示装置２が複数ない場合、この表示装置２を切替表示対象の表示装置２として特定するものである。 
【００４２】
また、切替表示対象特定部３３は、この検索した表示装置２の内、優先順位が最下位の待機コンテンツ画面を表示中の表示装置２が複数ある場合、これら複数の表示装置２の内、距離管理テーブル２２のテーブル内容に基づき、利用開始操作に関わる表示装置２と距離的に最も近い表示装置２を切替表示対象の表示装置２として特定するものである。 
【００４３】
表示制御部３４は、切替表示対象特定部３３にて切替表示対象の表示装置２を特定すると、この特定した切替表示対象の表示装置２に利用開始操作に関わる表示装置２で表示終了した待機コンテンツ画面を切替表示するものである。 
【００４４】
また、制御部１３は、状態監視制御部３１を通じて“利用中”の表示装置２側の利用終了操作を検出すると、利用終了操作に関わる表示装置２に表示する待機コンテンツ画面を検索する表示復帰コンテンツ検索部３５を有している。 
【００４５】
表示復帰コンテンツ検索部３５は、“利用中”の表示装置２側の利用終了操作を検出すると、未表示コンテンツ管理テーブル２５に管理中の待機コンテンツ画面があるか否かを判定し、未表示コンテンツ管理テーブル２５に管理中の待機コンテンツ画面がある場合、この待機コンテンツ画面の内、優先順位が最上位の待機コンテンツ画面を検索するものである。 
【００４６】
表示制御部３４は、表示復帰コンテンツ検索部３５にて検索した最上位の待機コンテンツ画面を利用終了操作に関わる表示装置２に表示するものである。 
【００４７】
表示制御部３４は、表示復帰コンテンツ検索部３５にて未表示コンテンツ管理テーブル２５に管理中の待機コンテンツ画面がない場合、優先順位に応じて任意の待機コンテンツ画面を利用終了操作に関わる表示装置２に表示するものである。 
【００４８】
尚、ここまで実施例１の構成について説明したが、その実施例１の構成要件と請求項記載の構成要件との対応関係を説明すると、請求項記載のコンテンツ表示システムはコンテンツ表示システム１、表示装置は表示装置２、表示制御装置は表示制御装置４、優先順位管理部は優先順位管理テーブル２４、状態管理部は状態管理テーブル２１、優先順位検索部は優先順位検索部３２、表示対象特定部は切替表示対象特定部３３、表示制御部は表示制御部３４、距離管理部は距離管理テーブル２２、未表示コンテンツ管理部は未表示コンテンツ管理テーブル２５、表示復帰コンテンツ検索部は表示復帰コンテンツ検索部３５に対応するものである。 
【００４９】
次に実施例１のコンテンツ表示システム１の動作について説明する。図６は実施例１の表示制御装置４の第１待機コンテンツ画面表示処理に関わる制御部１３の処理動作を示すフローチャートである。 
【００５０】
図６に示す第１待機コンテンツ画面表示処理は、“待機中”の表示装置２側の利用開始操作に応じて、この表示装置２で表示終了する待機コンテンツ画面を、この待機コンテンツ画面の優先順位よりも下位の待機コンテンツ画面を表示中の表示装置２に切替表示する処理である。 
【００５１】
図６において制御部１３内の状態監視制御部３１は、ＬＡＮ３経由で“待機中”の表示装置２から利用開始操作を検出したか否かを判定する（ステップＳ１１）。 
【００５２】
状態監視制御部３１は、利用開始操作を検出した場合（ステップＳ１１肯定）、この利用開始操作に関わる表示装置２に表示中の待機コンテンツ画面の表示を終了し、この表示装置２の利用状態を“待機中”から“利用中”へと状態管理テーブル２１を更新する（ステップＳ１２）。 
【００５３】
尚、状態管理テーブル２１では、その表示装置２の利用状態を“待機中”から“利用中”へ更新した場合でも、同表示装置２の表示終了の待機コンテンツ画面を同表示装置２で表示中の待機コンテンツ画面として管理しているものとする。 
【００５４】
制御部２内の優先順位検索部３２は、この利用開始操作に関わる表示装置２に対応する表示終了の待機コンテンツ画面を状態管理テーブル２１から検索し、この検索した待機コンテンツ画面に対応する優先順位を優先順位管理テーブル２４から検索する（ステップＳ１３）。 
【００５５】
制御部１３内の切替表示対象特定部３３は、表示終了の待機コンテンツ画面の優先順位を検索すると、この待機コンテンツ画面の優先順位よりも下位の待機コンテンツ画面を優先順位管理テーブル２４から検索し、この検索した優先順位が下位の待機コンテンツ画面を現在表示している表示装置２を状態管理テーブル２１から検索し、この検索結果に基づき、優先順位が下位の待機コンテンツ画面を現在表示している表示装置２があるか否かを判定する（ステップＳ１４）。 
【００５６】
切替表示対象特定部３３は、優先順位が下位の待機コンテンツ画面を現在表示している表示装置２がある場合（ステップＳ１４肯定）、これら表示装置２の中で、優先順位が最も下位の待機コンテンツ画面を表示中の表示装置２を特定する（ステップＳ１５）。 
【００５７】
切替表示対象特定部３３は、優先順位が最も下位の待機コンテンツ画面を表示中の表示装置２を特定すると、この特定した表示装置２が複数あるか否かを判定する（ステップＳ１６）。 
【００５８】
切替表示対象特定部３３は、この特定した表示装置２が複数ある場合（ステップＳ１６肯定）、距離管理テーブル２２のテーブル内容に基づき、ステップＳ１１の利用開始操作に関わる表示装置２と距離的に最も近い表示装置２を特定する（ステップＳ１７）。 
【００５９】
切替表示対象特定部３３は、ステップＳ１６にて特定した表示装置２が複数ない場合（ステップＳ１６否定）、又はステップＳ１７にて距離的に最も近い表示装置２を特定した場合、この特定した表示装置２を切替表示対象の表示装置２として特定する（ステップＳ１８）。 
【００６０】
制御部１３内の表示制御部３４は、ステップＳ１１の利用開始操作の表示装置２に関わる表示終了の待機コンテンツ画面を切替表示対象の表示装置２に切替表示する（ステップＳ１９）。この結果、表示装置２の利用開始操作に応じて待機コンテンツ画面が表示終了したとしても、この待機コンテンツ画面を切替表示対象の表示装置２で表示することになる。 
【００６１】
また、状態監視制御部３１は、待機コンテンツ画面を切替表示対象の表示装置２に切替表示すると、状態管理テーブル２１のテーブル内容に基づき、切替表示対象の表示装置２で切替表示前の待機コンテンツ画面を表示中の表示装置２があるか否かを判定する（ステップＳ２０）。 
【００６２】
状態監視制御部３１は、切替表示対象の表示装置２で切替表示前の待機コンテンツ画面を表示中の表示装置２がない場合（ステップＳ２０否定）、この切替表示前の待機コンテンツ画面を全ての表示装置２で表示されていない待機コンテンツ画面と判断し、この待機コンテンツ画面を未表示コンテンツとして未表示コンテンツ管理テーブル２５に登録する（ステップＳ２１）。 
【００６３】
そして、状態監視制御部３１は、切替表示対象の表示装置２に対応した状態管理テーブル２１内の表示コンテンツ情報を現在表示中の待機コンテンツ画面に切替更新すると共に、利用開始操作に関わる表示装置２に対応した状態管理テーブル２１内の表示コンテンツ情報を削除すべく、状態管理テーブル２１を更新し（ステップＳ２２）、この処理動作を終了する。 
【００６４】
また、状態監視制御部３１は、ステップＳ１１にて“待機中”の表示装置２からの利用開始操作を検出しなかった場合（ステップＳ１１否定）、この処理動作を終了する。 
【００６５】
また、切替表示対象特定部３３は、ステップＳ１４にて優先順位が下位の待機コンテンツ画面を現在表示している表示装置２がない場合（ステップＳ１４否定）、利用開始操作の表示装置２に対応した状態管理テーブル２１内の表示コンテンツ情報を削除すべく、状態管理テーブル２１を更新し（ステップＳ２３）、この処理動作を終了する。 
【００６６】
また、状態監視制御部３１は、ステップＳ２０にて切替表示対象の表示装置２で切替表示前の待機コンテンツ画面を表示中の表示装置２がある場合（ステップＳ２０肯定）、未表示コンテンツ管理テーブル２５に登録することなく、ステップＳ２２に移行する。 
【００６７】
図６に示す第１待機コンテンツ画面表示処理によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２がある場合、この表示装置２の内、優先順位が最下位の待機コンテンツ画面を表示する表示装置２を切替表示対象の表示装置２として特定し、この特定した表示装置２に、利用開始操作に応じて表示終了した待機コンテンツ画面を切替表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この上位の待機コンテンツ画面をユーザ側で視認できる機会を確保することができる。 
【００６８】
また、第１待機コンテンツ画面表示処理によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２があるか否かを判定し、この優先順位よりも下位の待機コンテンツ画面を表示している表示装置２がある場合、この表示装置２の内、優先順位が最下位の待機コンテンツ画面を表示する表示装置２が複数あるか否かを判定し、この表示装置２が複数ある場合、利用開始操作に関わる表示装置２と距離的に最も近い表示装置２を切替表示対象の表示装置２として特定し、この特定した表示装置２に、利用開始操作に応じて表示終了した待機コンテンツ画面を切替表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この表示終了した表示装置２になるべく距離的に近い表示装置２を通じて、この上位の待機コンテンツ画面をユーザ側で視認できる機会を確保することができる。 
【００６９】
図７は実施例１の表示制御装置４の第１待機コンテンツ画面復帰処理に関わる制御部１３内部の処理動作を示すフローチャートである。 
【００７０】
図７に示す第１待機コンテンツ画面復帰処理は、“利用中”の表示装置２から利用終了操作に応じて表示装置２が“利用中”から“待機中”に移行する際、この表示装置２に待機コンテンツ画面を復帰表示させる処理である。 
【００７１】
図７において制御部１３内部の状態監視制御部３１は、“利用中”の表示装置２から利用終了操作を検出したか否かを判定する（ステップＳ３１）。 
【００７２】
状態監視制御部３１は、表示装置２から利用終了操作を検出した場合（ステップＳ３１肯定）、この利用終了操作に関わる表示装置２の利用状態を“利用中”から“待機中”へと状態管理テーブル２１を更新する（ステップＳ３２）。 
【００７３】
次に制御部１３内の表示復帰コンテンツ検索部３５は、未表示コンテンツ管理テーブル２５内に未表示コンテンツがあるか否かを判定する（ステップＳ３３）。 
【００７４】
表示復帰コンテンツ検索部３５は、未表示コンテンツがある場合（ステップＳ３３肯定）、優先順位管理テーブル２４のテーブル内容に基づき、これら未表示コンテンツの内、優先順位が最上位の待機コンテンツ画面を検索する（ステップＳ３４）。 
【００７５】
表示制御部３４は、未表示コンテンツの内、優先順位が最上位の待機コンテンツ画面を検索すると、この最上位の待機コンテンツ画面を利用終了操作に関わる表示装置２に表示する（ステップＳ３５）。 
【００７６】
状態監視制御部３１は、この利用終了操作に関わる表示装置２へ待機コンテンツ画面を表示すると、この表示装置２に対応した状態管理テーブル２１内の表示コンテンツ情報に現在表示中の待機コンテンツ画面を登録すべく、状態管理テーブル２１を更新する（ステップＳ３６）。 
【００７７】
さらに、状態監視制御部３１は、この待機コンテンツ画面に対応する未表示コンテンツを未表示コンテンツ管理テーブル２５から削除すべく、未表示コンテンツ管理テーブル２５を更新し（ステップＳ３７）、この処理動作を終了する。 
【００７８】
また、状態監視制御部３１は、ステップＳ３１にて表示装置２から利用終了操作を検出しなかった場合（ステップＳ３１否定）、この処理動作を終了する。 
【００７９】
また、表示制御部３４は、ステップＳ３３にて未表示コンテンツがない場合（ステップＳ３３否定）、優先順位に応じて最上位の待機コンテンツ画面を利用終了操作の表示装置２に表示する（ステップＳ３８）。 
【００８０】
尚、ステップＳ３８の処理では、全ての待機コンテンツ画面を待機中の表示装置２で表示しているため、優先順位に応じて最上位の待機コンテンツ画面を利用終了操作の表示装置２に表示するものであるが、この待機コンテンツの選択については適宜変更可能である。 
【００８１】
また、状態監視制御部３１は、ステップＳ３８にて待機コンテンツ画面を利用終了操作の表示装置２に表示すると、この表示装置２に対応する状態管理テーブル２１内の表示コンテンツ情報に現在表示中の待機コンテンツ画面を登録すべく、状態管理テーブル２１を更新し（ステップＳ３９）、この処理動作を終了する。 
【００８２】
図７に示す第１待機コンテンツ画面復帰処理によれば、“利用中”の表示装置２から利用終了操作を検出すると、未表示コンテンツ管理テーブル２５内に未表示コンテンツがあるか否かを判定し、未表示コンテンツがある場合、この未表示コンテンツの内、最上位の待機コンテンツ画面を利用終了操作の表示装置２に表示するようにしたので、複数の待機コンテンツ画面の内、未表示の待機コンテンツ画面を極力低減することで、ユーザ側で視認できる機会を確保することができる。 
【００８３】
また、第１待機コンテンツ画面復帰処理によれば、“利用中”の表示装置２から利用終了操作を検出すると、未表示コンテンツ管理テーブル２５内に未表示コンテンツがあるか否かを判定し、未表示コンテンツがない場合、優先順位に応じて、最上位の待機コンテンツ画面を利用終了操作の表示装置２に表示するようにしたので、未表示の待機コンテンツ画面を極力低減しながら、優先順位が最上位、すなわち最も重要度の高い待機コンテンツ画面を表示することができる。 
【００８４】
では、これら図６に示す第１待機コンテンツ画面表示処理及び、図７に示す第１待機コンテンツ画面復帰処理の動作を各表示装置２の表示態様を交えて説明する。図８は実施例１の第１待機コンテンツ画面表示処理及び第１待機コンテンツ画面復帰処理に関わる各表示装置２の待機コンテンツ画面の遷移動作を端的に示す説明図である。 
【００８５】
図８に示すように、例えば“Ａ１”の表示装置２に“Ｃ５”の待機コンテンツ画面、“Ａ２”の表示装置２に“Ｃ４”の待機コンテンツ画面、“Ａ３”及び“Ａ４”の表示装置２に“Ｃ２”の待機コンテンツ画面、“Ａ５”の表示装置２に“Ｃ３”の待機コンテンツ画面を表示し、“Ａ１”〜“Ａ５”の全表示装置２の利用状態が“待機中”、待機コンテンツ画面の優先順位を高い順に“Ｃ５”→“Ｃ４”→“Ｃ３”→“Ｃ２”としたシステムを想定する。 
【００８６】
まず、図８に示す第１段階において表示制御装置４は、“Ａ２”の表示装置２の利用開始操作を検出すると、この表示装置２に表示中の待機コンテンツ画面“Ｃ４”よりも優先順位が下位の待機コンテンツ画面、すなわち“Ｃ３”及び“Ｃ２”の待機コンテンツ画面を表示中の表示装置２、すなわち“Ａ３”，“Ａ４”及び“Ａ５”の表示装置２を検索結果として得る。 
【００８７】
そして、表示制御装置４は、これら“Ａ３”，“Ａ４”及び“Ａ５”の表示装置２の内、優先順位が最下位の待機コンテンツ画面、すなわち“Ｃ２”の待機コンテンツ画面を表示中の表示装置２、すなわち“Ａ３”及び“Ａ４”の表示装置２を検索結果として得る。
【００８８】
さらに、表示制御装置４は、これら“Ａ３”及び“Ａ４”の表示装置２の内、利用開始操作に関わる“Ａ２”の表示装置２に最も近い“Ａ３”の表示装置２を切替表示対象の表示装置２として特定し、この切替表示対象の“Ａ３”の表示装置２に、利用開始操作に関わる表示装置２、すなわち“Ａ２”の表示装置２で表示終了した“Ｃ４”の待機コンテンツ画面を切替表示することになる（第２段階参照）。 
【００８９】
この結果、“Ａ２”の表示装置２の利用開始操作に応じて同表示装置２に表示中の“Ｃ４”の待機コンテンツ画面の表示が終了したとしても、この“Ｃ４”の待機コンテンツ画面をユーザ側で視認できる機会を確保することができる。 
【００９０】
その後、第２段階において表示制御装置４は、“Ａ３”の表示装置２の利用開始操作を検出すると、この表示装置２に表示中の待機コンテンツ画面“Ｃ４”よりも優先順位が下位の待機コンテンツ画面、すなわち“Ｃ３”及び“Ｃ２”の待機コンテンツ画面を表示中の表示装置２、すなわち“Ａ４”及び“Ａ５”の表示装置２を検索結果として得る。 
【００９１】
そして、表示制御装置４は、これら“Ａ４”及び“Ａ５”の表示装置２の内、優先順位が最下位の待機コンテンツ画面、すなわち“Ｃ２”の待機コンテンツ画面を表示中の表示装置２、すなわち“Ａ４”の表示装置２を検索結果として得る。 
【００９２】
さらに、表示制御装置４は、検索結果が一つであることから、“Ａ４”の表示装置２を切替表示対象の表示装置２として特定し、この切替表示対象の“Ａ４”の表示装置２に利用開始操作に関わる表示装置２、すなわち“Ａ３”の表示装置２で表示終了した“Ｃ４”の待機コンテンツ画面を切替表示することになる（第３段階参照）。 
【００９３】
この結果、“Ａ３”の表示装置２の利用開始操作に応じて同表示装置２に表示中の“Ｃ４”の待機コンテンツ画面の表示が終了したとしても、この“Ｃ４”の待機コンテンツ画面をユーザ側で視認できる機会を確保することができる。 
【００９４】
その後、第３段階において表示制御装置４は、“Ａ４”の表示装置２の利用開始操作を検出すると、この表示装置２に表示中の待機コンテンツ画面“Ｃ４”よりも優先順位が下位の待機コンテンツ画面、すなわち“Ｃ３”の待機コンテンツ画面を表示中の表示装置２、すなわち“Ａ５”の表示装置２を検索結果として得る。 
【００９５】
そして、表示制御装置４は、“Ａ５”の表示装置２を検索結果とし、この検索結果の内、優先順位が最下位の待機コンテンツ画面、すなわち“Ｃ３”の待機コンテンツ画面を表示中の表示装置２、すなわち“Ａ５”の表示装置２を検索結果として得る。 
【００９６】
さらに、表示制御装置４は、検索結果が一つであることから、“Ａ５”の表示装置２を切替表示対象の表示装置２として特定し、この切替表示対象の“Ａ５”の表示装置２に利用開始操作に関わる表示装置２、すなわち“Ａ４”の表示装置２で表示終了した“Ｃ４”の待機コンテンツ画面を切替表示することになる（第４段階参照）。 
【００９７】
この結果、“Ａ４”の表示装置２の利用開始操作に応じて同表示装置２に表示中の“Ｃ４”の待機コンテンツ画面の表示が終了したとしても、この“Ｃ４”の待機コンテンツ画面をユーザ側で視認できる機会を確保することができる。 
【００９８】
その後、第４段階において表示制御装置４は、利用中の“Ａ２”の表示装置２の利用終了操作を検出すると、未表示コンテンツ管理テーブル２５の未表示コンテンツの内、優先順位が最上位の待機コンテンツ画面、すなわち“Ｃ３”の待機コンテンツ画面を検索結果として得る。 
【００９９】
そして、表示制御装置４は、“Ｃ３”の待機コンテンツ画面を利用終了操作に関わる表示装置２、すなわち“Ａ２”の表示装置２に表示することになる（第５段階参照）。その結果、待機状態に復帰した表示装置２は、未表示コンテンツの内、最上位の待機コンテンツ画面を表示することになる。 
【０１００】
実施例１によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２がある場合、この表示装置２の内、優先順位が最下位の待機コンテンツ画面を表示する表示装置２を切替表示対象の表示装置２として特定し、この特定した表示装置２に、利用開始操作に応じて表示終了した待機コンテンツ画面を切替表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この上位の待機コンテンツ画面をユーザ側で視認できる機会を確保することができる。 
【０１０１】
また、実施例１によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２があるか否かを判定し、この優先順位よりも下位の待機コンテンツ画面を表示している表示装置２がある場合、この表示装置２の内、優先順位が最下位の待機コンテンツ画面を表示する表示装置２が複数あるか否かを判定し、この表示装置２が複数ある場合、利用開始操作に関わる表示装置２と距離的に最も近い表示装置２を切替表示対象の表示装置２として特定し、この特定した表示装置２に、利用開始操作に応じて表示終了した待機コンテンツ画面を切替表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この表示終了した表示装置２になるべく距離的に近い表示装置２を通じて、この上位の待機コンテンツ画面をユーザ側で視認できる機会を確保することができる。 
【０１０２】
また、実施例１によれば、“利用中”の表示装置２から利用終了操作を検出すると、未表示コンテンツ管理テーブル２５内に未表示コンテンツがあるか否かを判定し、未表示コンテンツがある場合、この未表示コンテンツの内、最上位の待機コンテンツ画面を利用終了操作の表示装置２に表示するようにしたので、複数の待機コンテンツ画面の内、未表示の待機コンテンツ画面を極力低減することで、ユーザ側で視認できる機会を確保することができる。 
【０１０３】
また、実施例１によれば、“利用中”の表示装置２から利用終了操作を検出すると、未表示コンテンツ管理テーブル２５内に未表示コンテンツがあるか否かを判定し、未表示コンテンツがない場合、優先順位に応じて、最上位の待機コンテンツ画面を利用終了操作の表示装置２に表示するようにしたので、未表示の待機コンテンツ画面を極力低減しながら、優先順位が最上位、すなわち最も重要度の高い待機コンテンツ画面を表示することができる。 
【０１０４】
尚、上記実施例１においては、“待機中”の表示装置２から利用開始操作を検出すると、この利用開始に応じて表示装置２で表示終了した待機コンテンツ画面を、この待機コンテンツ画面の優先順位よりも下位の待機コンテンツ画面を表示中の表示装置２に切替表示するようにしたが、１台の表示装置２のタッチパネル表示部２Ｂに一つの待機コンテンツ画面を切替表示するのではなく、１台の表示装置２のタッチパネル表示部２Ｂに複数の待機コンテンツ画面を分割表示するようにしても良く、この実施の形態につき、実施例２として以下に説明する。 
【実施例２】
【０１０５】
尚、実施例１と同一の構成については同一符号を付すことで、その重複する構成及び動作の説明については省略する。図９は実施例２の表示制御装置４内部の概略構成を示すブロック図である。 
【０１０６】
実施例１の表示制御装置４と実施例２の表示制御装置４とが異なるところは、制御部１３内部の優先順位検索部３２、切替表示対象特定部３３、表示制御部３４及び表示復帰コンテンツ検索部３５の代わりに、図９に示すように、優先順位検索部３２Ａ、分割表示対象特定部３３Ａ、表示制御部３４Ａ及び表示復帰コンテンツ検索部３５Ａを設けると共に、記憶部１２内部の未表示コンテンツ管理テーブル２５を削除した点にある。 
【０１０７】
図９に示す表示制御装置４内部の制御部１３は、“待機中”の表示装置２から利用開始操作を検出すると、この利用開始操作に関わる表示装置２に表示中の待機コンテンツ画面の優先順位を優先順位管理テーブル２４から検索する優先順位検索部３２Ａを有している。 
【０１０８】
優先順位検索部３２Ａは、待機中の表示装置２の内、任意の表示装置２からの利用開始操作を検出すると、この利用開始操作に関わる表示装置２に対応する表示終了の待機コンテンツ画面を状態管理テーブル２１から検索するものである。尚、利用開始操作の表示装置２が分割表示中の場合は複数の待機コンテンツ画面を検索することになる。 
【０１０９】
さらに、優先順位検索部３２Ａは、この検索結果である待機コンテンツ画面に対応する優先順位を優先順位管理テーブル２４から検索し、この検索結果の優先順位の内、最上位の優先順位を、利用開始操作に関わる表示装置２の優先順位とするものである。 
【０１１０】
また、制御部１３は、優先順位検索部３２Ａにて検索した待機コンテンツ画面の最上位の優先順位に基づき、この利用開始の表示装置２で表示終了した待機コンテンツ画面を分割表示する分割表示対象の表示装置２を特定する分割表示対象特定部３３Ａと、この分割表示対象特定部３３Ａにて特定した分割表示対象の表示装置２に利用開始操作に関わる表示装置２で表示終了した待機コンテンツ画面を分割表示する表示制御部３４Ａとを有している。 
【０１１１】
分割表示対象特定部３３Ａは、優先順位検索部３２Ａにて検索した待機コンテンツ画面の最上位の優先順位よりも下位、すなわち重要度の小さい待機コンテンツ画面を優先順位管理テーブル２４から検索し、この検索した優先順位が下位の待機コンテンツ画面を表示している表示装置２を状態管理テーブル２１から検索するものである。 
【０１１２】
また、分割表示対象特定部３３Ａは、この検索した表示装置２の内、優先順位が最下位の待機コンテンツ画面を表示中の表示装置２が複数ない場合、この表示装置２を分割表示対象の表示装置２として特定するものである。 
【０１１３】
また、分割表示対象特定部３３Ａは、この検索した表示装置２の内、優先順位が最下位の待機コンテンツ画面を表示中の表示装置２が複数ある場合、これら複数の表示装置２の内、距離管理テーブル２２のテーブル内容に基づき、利用開始操作に関わる表示装置２と距離的に最も近い表示装置２を分割表示対象の表示装置２として特定するものである。 
【０１１４】
表示制御部３４Ａは、分割表示対象特定部３３Ａにて分割表示対象の表示装置２を特定すると、この特定した分割表示対象の表示装置２のタッチパネル表示部２Ｂの表示領域内で、現在表示中の待機コンテンツ画面の他に、利用開始操作に関わる表示装置２で表示終了した待機コンテンツ画面を分割表示するものである。 
【０１１５】
また、状態監視制御部３１は、表示制御部３４Ａにて分割表示対象の表示装置２に、現在表示中の待機コンテンツ画面の他に、利用開始操作に関わる表示装置２で表示終了した待機コンテンツ画面を分割表示すると、図１０に示すように、この分割表示対象の表示装置２に対応する状態管理テーブル２１内の分割表示中の複数の待機コンテンツ画面に関わる表示コンテンツ情報を登録すべく、状態管理テーブル２１を更新するものである。 
【０１１６】
制御部１３は、状態管理テーブル２１のテーブル内容に基づき、例えば“Ａ５”の表示装置２は利用状態が“待機中”で“Ｃ４”、“Ｃ３”、“Ｃ２”及び“Ｃ１”の４つの待機コンテンツ画面をタッチパネル表示部２Ｂに分割表示中であることを認識することができるものである。 
【０１１７】
また、制御部１３は、表示復帰コンテンツ検索部３５の代わりに、状態監視制御部３１を通じて“利用中”の表示装置２側の利用終了操作を検出すると、利用終了操作に関わる表示装置２に表示する待機コンテンツ画面を検索する表示復帰コンテンツ検索部３５Ａを有している。 
【０１１８】
この表示復帰コンテンツ検索部３５Ａは、“利用中”の表示装置２側の利用終了操作を検出すると、分割表示中の表示装置２を状態管理テーブル２１のテーブル内容から検索し、この分割表示中の表示装置２で現在表示している複数の待機コンテンツ画面の内、前記優先順位が最上位の待機コンテンツ画面を検索するものである。 
【０１１９】
表示制御部３４Ａは、表示復帰コンテンツ検索部３５Ａにて検索した最上位の待機コンテンツ画面を利用終了操作の表示装置２に表示するものである。 
【０１２０】
尚、ここまで実施例２の構成について説明したが、その実施例２の構成要件と請求項記載の構成要件との対応関係を説明すると、請求項記載のコンテンツ表示システムはコンテンツ表示システム１、表示装置は表示装置２、表示制御装置は表示制御装置４、優先順位管理部は優先順位管理テーブル２４、状態管理部は状態管理テーブル２１、優先順位検索部は優先順位検索部３２Ａ、表示対象特定部は分割表示対象特定部３３Ａ、表示制御部は表示制御部３４Ａ、距離管理部は距離管理テーブル２２、表示復帰コンテンツ検索部は表示復帰コンテンツ検索部３５Ａに対応するものである。 
【０１２１】
次に実施例２のコンテンツ表示システム１の動作について説明する。図１１は実施例２の表示制御装置４の第２待機コンテンツ画面表示処理に関わる制御部１３の処理動作を示すフローチャートである。 
【０１２２】
図１１に示す第２待機コンテンツ画面表示処理は、“待機中”の表示装置２側の利用開始操作に応じて、この表示装置２で表示終了する待機コンテンツ画面を、この待機コンテンツ画面の優先順位よりも下位の待機コンテンツ画面を表示中の表示装置２に分割表示する処理である。 
【０１２３】
図１１において制御部１３内の優先順位検索部３２Ａは、ステップＳ１１及びステップＳ１２の処理を経て、この利用開始操作に関わる表示装置２に対応する表示終了の待機コンテンツ画面を状態管理テーブル２１から検索し、この検索した待機コンテンツ画面に対応する優先順位を優先順位管理テーブル２４から検索する（ステップＳ４１）。 
【０１２４】
尚、優先順位検索部３２Ａは、利用開始操作の表示装置２が分割表示中の場合、複数の待機コンテンツ画面に応じて複数の優先順位を検索することになるため、この場合、これら複数の優先順位の内、最上位の優先順位を検索結果として得ることになる。 
【０１２５】
制御部１３内の分割表示対象特定部３３Ａは、表示終了の待機コンテンツ画面の優先順位を検索結果として得ると、この待機コンテンツ画面の優先順位よりも下位の待機コンテンツ画面を優先順位管理テーブル２４から検索し、この検索した優先順位が下位の待機コンテンツ画面を現在表示している表示装置２を状態管理テーブル２１から検索し、この検索結果に基づき、優先順位が下位の待機コンテンツ画面を現在表示している表示装置２があるか否かを判定する（ステップＳ４２）。 
【０１２６】
分割表示対象特定部３３Ａは、優先順位が下位の待機コンテンツ画面を現在表示している表示装置２がある場合（ステップＳ４２肯定）、これら表示装置２の中で、優先順位が最も下位の待機コンテンツ画面を表示中の表示装置２を特定する（ステップＳ４３）。 
【０１２７】
分割表示対象特定部３３Ａは、優先順位が最も下位の待機コンテンツ画面を表示中の表示装置２を特定すると、この特定した表示装置２が複数あるか否かを判定する（ステップＳ４４）。 
【０１２８】
分割表示対象特定部３３Ａは、この特定した表示装置２が複数ある場合（ステップＳ４４肯定）、距離管理テーブル２２のテーブル内容に基づき、ステップＳ１１の利用開始操作に関わる表示装置２と距離的に最も近い表示装置２を特定する（ステップＳ４５）。 
【０１２９】
分割表示対象特定部３３Ａは、ステップＳ４４にて特定した表示装置２が複数ない場合（ステップＳ４４否定）、又はステップＳ４５にて距離的に最も近い表示装置２を特定した場合、この特定した表示装置２を分割表示対象の表示装置２として特定する（ステップＳ４６）。 
【０１３０】
制御部１３内の表示制御部３４Ａは、ステップＳ１１で利用開始操作の表示装置２に関わる表示終了の待機コンテンツ画面を、分割表示対象の表示装置２に現在表示中の待機コンテンツ画面と併せて分割表示する（ステップＳ４７）。 
【０１３１】
この結果、表示装置２の利用開始操作に応じて待機コンテンツ画面が表示終了したとしても、この待機コンテンツ画面を分割表示対象の表示装置２で分割表示することになる。
【０１３２】
状態監視制御部３１は、分割表示対象の表示装置２に待機コンテンツ画面を分割表示すると、分割表示対象の表示装置２に対応した状態管理テーブル２１内の表示コンテンツ情報に分割表示中の複数の待機コンテンツ画面を登録すべく、状態管理テーブル２１を更新し（ステップＳ４８）、この処理動作を終了する。 
【０１３３】
また、分割表示対象特定部３３Ａは、ステップＳ４２にて優先順位が下位の待機コンテンツ画面を現在表示している表示装置２がない場合（ステップＳ４２否定）、利用開始操作の表示装置２に対応した状態管理テーブル２１内の表示コンテンツ情報を削除すべく、状態管理テーブル２１を更新し（ステップＳ４９）、この処理動作を終了する。 
【０１３４】
図１１に示す第２待機コンテンツ画面表示処理によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２がある場合、この表示装置２の内、優先順位が最下位の待機コンテンツ画面を表示する表示装置２を分割表示対象の表示装置２として特定し、この特定した表示装置２に、利用開始操作に応じて表示終了した待機コンテンツ画面を分割表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この表示終了した待機コンテンツ画面を他の表示装置２に分割表示することで、ユーザ側で視認できる機会を確実に確保することができる。 
【０１３５】
また、第２待機コンテンツ画面表示処理によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２がある場合、この表示装置２の内、優先順位が最下位の待機コンテンツ画面を表示する表示装置２が複数あるか否かを判定し、この表示装置２が複数ある場合、利用開始操作に関わる表示装置２と距離的に最も近い表示装置２を分割表示対象の表示装置２として特定し、この特定した表示装置２に利用開始操作に応じて表示終了した待機コンテンツ画面を分割表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この表示終了した表示装置２になるべく距離的に近い表示装置２を通じて、この上位の待機コンテンツ画面をユーザ側で視認できる機会を確実に確保することができる。 
【０１３６】
図１２は実施例２の表示制御装置４の第２待機コンテンツ画面復帰処理に関わる制御部１３の処理動作を示すフローチャートである。 
【０１３７】
図１２に示す第２待機コンテンツ画面復帰処理は、“利用中”の表示装置２から利用終了操作に応じて表示装置２が“利用中”から“待機中”に移行する際、この表示装置２に待機コンテンツ画面を復帰表示させる処理である。 
【０１３８】
図１２において制御部１３内の表示復帰コンテンツ検索部３５Ａは、ステップＳ３１及びステップＳ３２の処理動作を実行すると、図１０に示す状態管理テーブル２１の表示コンテンツ情報に基づき、分割表示中の表示装置２があるか否かを判定する（ステップＳ５１）。 
【０１３９】
表示復帰コンテンツ検索部３５Ａは、分割表示中の表示装置２がある場合（ステップＳ５１肯定）、優先順位管理テーブル２４のテーブル内容に基づき、これら表示装置２で分割表示中の複数の待機コンテンツ画面の内、優先順位が最上位の待機コンテンツ画面を検索する（ステップＳ５２）。 
【０１４０】
表示制御部３４Ａは、優先順位が最上位の待機コンテンツ画面を検索すると、この最上位の待機コンテンツ画面を利用終了操作に関わる表示装置２に表示する（ステップＳ５３）。 
【０１４１】
状態監視制御部３１は、この利用終了操作に関わる表示装置２へ待機コンテンツ画面を表示すると、この最上位の待機コンテンツ画面を分割表示中の表示装置２に対応する状態管理テーブル２１から同待機コンテンツ画面を削除すべく、状態管理テーブル２１を更新する（ステップＳ５４）。 
【０１４２】
さらに、状態監視制御部３１は、利用終了操作に関わる表示装置２へ待機コンテンツ画面を表示したことで、利用終了操作に関わる表示装置２に対応した状態管理テーブル２１内の表示コンテンツ情報に現在表示中の待機コンテンツ画面を登録すべく、状態管理テーブル２１を更新し（ステップＳ５５）、この処理動作を終了する。 
【０１４３】
また、表示復帰コンテンツ検索部３５Ａは、ステップＳ５１にて分割表示中の表示装置２がない場合（ステップＳ５１否定）、優先順位に応じて最上位の待機コンテンツ画面を利用終了操作の表示装置２に表示し（ステップＳ５６）、利用終了操作に関わる表示装置２に対応した状態管理テーブル２１内の表示コンテンツ情報に現在表示中の待機コンテンツ画面を登録すべく、ステップＳ５５に移行する。 
【０１４４】
尚、ステップＳ５６の処理では、全ての待機コンテンツ画面を“待機中”の表示装置２で表示しているため、優先順位に応じて最上位の待機コンテンツ画面を利用終了操作の表示装置２に表示するものであるが、この待機コンテンツの選択については適宜変更可能である。 
【０１４５】
図１２に示す第２待機コンテンツ画面復帰処理によれば、“利用中”の表示装置２から利用終了操作を検出すると、複数の待機コンテンツ画面を分割表示中の表示装置２があるか否かを判定し、分割表示中の表示装置２がある場合、これら分割表示中の複数の待機コンテンツ画面の内、最上位の待機コンテンツ画面を利用終了操作の表示装置２に表示するようにしたので、分割表示中の複数の待機コンテンツ画面の内、最上位の待機コンテンツ画面を通常画面で表示することができるため、ユーザ側で視認できる機会を大幅に向上させることができる。 
【０１４６】
また、第２待機コンテンツ画面復帰処理によれば、“利用中”の表示装置２から利用終了操作を検出すると、複数の待機コンテンツ画面を分割表示中の表示装置２があるか否かを判定し、分割表示中の表示装置２がない場合、優先順位に応じて、最上位の待機コンテンツ画面を利用終了操作の表示装置２に表示するようにしたので、優先順位が最上位、すなわち最も重要度の高い待機コンテンツ画面をユーザ側で視認できる機会を大幅に向上させることができる。 
【０１４７】
では、これら図１１に示す第２待機コンテンツ画面表示処理及び、図１２に示す第２待機コンテンツ画面復帰処理の動作を各表示装置２の表示態様を交えて説明する。図１３は実施例２の第２待機コンテンツ画面表示処理及び第２待機コンテンツ画面復帰処理に関わる各表示装置２の待機コンテンツ画面の遷移動作を端的に示す説明図である。 
【０１４８】
図１３に示すように、例えば“Ａ１”の表示装置２に“Ｃ５”の待機コンテンツ画面、“Ａ２”の表示装置２に“Ｃ４”の待機コンテンツ画面、“Ａ３”の表示装置２に“Ｃ１”の待機コンテンツ画面、“Ａ４”の表示装置２に“Ｃ２”の待機コンテンツ画面、“Ａ５”の表示装置２に“Ｃ３”の待機コンテンツ画面を表示し、“Ａ１”〜“Ａ５”の全表示装置２の利用状態が“待機中”、待機コンテンツ画面の優先順位を高い順に“Ｃ５”→“Ｃ４”→“Ｃ３”→“Ｃ２”→“Ｃ１”とシステムを想定する。 
【０１４９】
まず、第１段階において表示制御装置４は、“Ａ２”の表示装置２の利用開始操作を検出すると、この表示装置２に表示中の待機コンテンツ画面“Ｃ４”よりも優先順位が下位の待機コンテンツ画面、すなわち“Ｃ３”、“Ｃ２”及び“Ｃ１”の待機コンテンツ画面を表示中の表示装置２、すなわち“Ａ３”，“Ａ４”及び“Ａ５”の表示装置２を検索結果として得る。 
【０１５０】
そして、表示制御装置４は、これら“Ａ３”，“Ａ４”及び“Ａ５”の表示装置２の内、優先順位が最下位の待機コンテンツ画面、すなわち“Ｃ１”の待機コンテンツ画面を表示中の表示装置２、すなわち“Ａ３”の表示装置２を検索結果として得る。 
【０１５１】
さらに、表示制御装置４は、検索結果が一つであることから、この“Ａ３”の表示装置２を分割表示対象の表示装置２として特定し、この分割表示対象の“Ａ３”の表示装置２に、現在表示中の“Ｃ１”の待機コンテンツ画面の他に、利用開始操作に関わる表示装置２、すなわち“Ａ２”の表示装置２で表示終了した“Ｃ４”の待機コンテンツ画面を分割表示することになる（第２段階参照）。 
【０１５２】
この結果、“Ａ３”の表示装置２では、“Ｃ１”の待機コンテンツ画面は勿論のこと、利用開始操作に応じて表示終了した“Ｃ４”の待機コンテンツ画面を分割表示することで、表示終了した“Ｃ４”の待機コンテンツ画面の表示を確保することができる。 
【０１５３】
その後、第２段階において表示制御装置４は、“Ａ３”の表示装置２の利用開始操作を検出すると、この表示装置２に表示中の最上位の待機コンテンツ画面“Ｃ４”よりも優先順位が下位の待機コンテンツ画面、すなわち“Ｃ３”及び“Ｃ２”の待機コンテンツ画面を表示中の表示装置２、すなわち“Ａ４”及び“Ａ５”の表示装置２を検索結果として得る。 
【０１５４】
そして、表示制御装置４は、これら“Ａ４”及び“Ａ５”の表示装置２の内、優先順位が最下位の待機コンテンツ画面、すなわち“Ｃ２”の待機コンテンツ画面を表示中の表示装置２、すなわち“Ａ４”の表示装置２を検索結果として得る。 
【０１５５】
さらに、表示制御装置４は、検索結果が一つであることから、“Ａ４”の表示装置２を分割表示対象の表示装置２として特定し、この分割表示対象の“Ａ４”の表示装置２に、現在表示中の“Ｃ２”の待機コンテンツ画面の他、利用開始操作に関わる表示装置２、すなわち“Ａ３”の表示装置２で表示終了した“Ｃ４”及び“Ｃ１”の待機コンテンツ画面を分割表示することになる（第３段階参照）。 
【０１５６】
この結果、“Ａ４”の表示装置２では、“Ｃ２”の待機コンテンツ画面は勿論のこと、利用開始操作に応じて表示終了した“Ｃ４”及び“Ｃ１”の待機コンテンツ画面も分割表示することで、表示終了した“Ｃ４”及び“Ｃ１”の待機コンテンツ画面の表示を確保することができる。 
【０１５７】
その後、第３段階において表示制御装置４は、“Ａ４”の表示装置２の利用開始操作を検出すると、この表示装置２に表示中の最上位の待機コンテンツ画面“Ｃ４”よりも優先順位が下位の待機コンテンツ画面、すなわち“Ｃ３”の待機コンテンツ画面を表示中の表示装置２、すなわち“Ａ５”の表示装置２を検索結果として得る。 
【０１５８】
そして、表示制御装置４は、検索結果が一つであることから、“Ａ５”の表示装置２を分割表示対象の表示装置２として特定し、この分割表示対象の表示装置２、すなわち“Ａ５”の表示装置２に、現在表示中の“Ｃ３”の待機コンテンツ画面の他、利用開始操作に関わる表示装置２、すなわち“Ａ４”の表示装置２で表示終了した“Ｃ４”、“Ｃ２”及び“Ｃ１”の待機コンテンツ画面を分割表示することになる（第４段階参照）。 
【０１５９】
この結果、“Ａ５”の表示装置２では、“Ｃ３”の待機コンテンツ画面は勿論のこと、利用開始操作に応じて表示終了した“Ｃ４”、“Ｃ２”及び“Ｃ１”の待機コンテンツ画面も分割表示することで、表示終了した“Ｃ４”、“Ｃ２”及び“Ｃ１”の待機コンテンツ画面の表示を確保することができる。 
【０１６０】
その後、第４段階において表示制御装置４は、“利用中”の“Ａ２”の表示装置２の利用終了操作を検出すると、分割表示中の表示装置４の内、優先順位が最上位の待機コンテンツ画面、すなわち“Ｃ４”の待機コンテンツ画面を検索結果として得る。 
【０１６１】
そして、表示制御装置４は、“Ｃ４”の待機コンテンツ画面を利用終了操作に関わる表示装置２、すなわち“Ａ２”の表示装置２に表示すると共に、この“Ｃ４”の待機コンテンツ画面を分割表示した“Ａ５”の表示装置２から同“Ｃ４”の待機コンテンツ画面を削除することになる（第５段階参照）。その結果、待機状態に復帰した表示装置２は、分割表示中の複数の待機コンテンツの内、最上位の待機コンテンツ画面を表示することになる。 
【０１６２】
実施例２によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２がある場合、この表示装置２の内、優先順位が最下位の待機コンテンツ画面を表示する表示装置２を分割表示対象の表示装置２として特定し、この特定した表示装置２に、利用開始操作に応じて表示終了した待機コンテンツ画面を分割表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この表示終了した待機コンテンツ画面を他の表示装置２に分割表示することで、ユーザ側で視認できる機会を確実に確保することができる。 
【０１６３】
また、実施例２によれば、“待機中”の表示装置２から利用開始操作を検出すると、この表示装置２に表示中の待機コンテンツ画面の優先順位を検索し、この検索した優先順位よりも下位の待機コンテンツ画面を表示している表示装置２がある場合、この表示装置２の内、優先順位が最下位の待機コンテンツ画面を表示する表示装置２が複数あるか否かを判定し、この表示装置２が複数ある場合、利用開始操作に関わる表示装置２と距離的に最も近い表示装置２を分割表示対象の表示装置２として特定し、この特定した表示装置２に利用開始操作に応じて表示終了した待機コンテンツ画面を分割表示するようにしたので、例えば優先順位が上位の待機コンテンツ画面を表示中の表示装置２が一台で、同表示装置２の利用開始操作に応じて同表示装置２に表示中の上位の待機コンテンツ画面の表示が終了したとしても、この表示終了した表示装置２になるべく距離的に近い表示装置２を通じて、この上位の待機コンテンツ画面をユーザ側で視認できる機会を確実に確保することができる。 
【０１６４】
また、実施例２によれば、“利用中”の表示装置２から利用終了操作を検出すると、複数の待機コンテンツ画面を分割表示中の表示装置２があるか否かを判定し、分割表示中の表示装置２がある場合、これら分割表示中の複数の待機コンテンツ画面の内、最上位の待機コンテンツ画面を利用終了操作の表示装置２に表示するようにしたので、分割表示中の複数の待機コンテンツ画面の内、最上位の待機コンテンツ画面を通常画面で表示することができるため、ユーザ側で視認できる機会を大幅に向上させることができる。 
【０１６５】
また、実施例２によれば、“利用中”の表示装置２から利用終了操作を検出すると、複数の待機コンテンツ画面を分割表示中の表示装置２があるか否かを判定し、分割表示中の表示装置２がない場合、優先順位に応じて、最上位の待機コンテンツ画面を利用終了操作の表示装置２に表示するようにしたので、優先順位が最上位、すなわち最も重要度の高い待機コンテンツ画面をユーザ側で視認できる機会を大幅に向上させることができる。 
【０１６６】
尚、上記実施例２においては、分割表示対象の表示装置２に表示終了の待機コンテンツ画面を分割表示するようにしたが、この分割表示対象の表示装置２に表示終了の待機コンテンツ画面を分割表示する際、これら分割表示する複数の待機コンテンツ画面の優先順位に応じて待機コンテンツ画面を表示するタッチパネル表示部２Ｂ上の表示領域サイズを変更するようにしても良いことは言うまでもない。 
【０１６７】
また、上記実施例１及び実施例２においては、待機コンテンツ画面を表示制御装置４側の待機コンテンツ画面データベース２３で管理し、表示制御装置４は、待機コンテンツ画面データベース２３に管理中の待機コンテンツ画面を各表示装置２に表示させるようにしたが、例えば表示装置２毎に、その内部に待機コンテンツ画面データベースを備えたり、また、別個に待機コンテンツ画面データベースをＬＡＮ３上に配置するようにしても、同様の効果が得られることは言うまでもない。 
【０１６８】
以上、本発明の実施例について説明したが、本実施例によって本発明の技術的思想の範囲が限定されるものではなく、請求の範囲に記載した技術的思想の範囲を逸脱しない限り、各種様々な実施例が実施可能であることは言うまでもない。また、本実施例に記載した効果は、これに限定されるものではない。 
【０１６９】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。 
【０１７０】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。 
【０１７１】
さらに、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。 
【産業上の利用可能性】
【０１７２】
上記のように構成された本発明のコンテンツ表示システム、コンテンツ表示プログラム及びコンテンツ表示方法によれば、優先順位が上位の待機コンテンツ画面を表示中の表示装置が一台で、同表示装置の利用開始操作に応じて同表示装置に表示中の上位の待機コンテンツ画面の表示が終了したとしても、この上位の待機コンテンツ画面をユーザ側で視認できる機会を確実に確保できるようにしたので、例えば会場等に複数の表示装置を配置し、様々な広告や案内を含む待機コンテンツ画面を表示する表示システムに有用である。
【符号の説明】
【０１７３】
１  コンテンツ表示システム
２  表示装置
４  表示制御装置
２１  状態管理テーブル
２２  距離管理テーブル
２４  優先順位管理テーブル
２５  未表示コンテンツ管理テーブル
３２  優先順位検索部
３２Ａ  優先順位検索部
３３  切替表示対象特定部
３３Ａ  分割表示対象特定部
３４  表示制御部
３４Ａ  表示制御部
３５  表示復帰コンテンツ検索部
３５Ａ  表示復帰コンテンツ検索部
【国際調査報告】
2009122522.tif 000016
2009122522.tif 000017